(57)【特許請求の範囲】
【請求項１】
複数の走査信号線と複数のデータ信号線の交点にマトリクス状に配置された複数の表示画素とよりなり、電気的に独立のＮ個（Ｎ≧２）に分割された表示領域を有する表示パネルと、
前記Ｎ個に分割された表示領域に配線された走査信号線にそれぞれ接続されるＮ個の垂直走査回路と、
前記Ｎ個に分割された表示領域に配線されたデータ信号線にそれぞれ接続されるＮ個の水平走査回路と、
互いに非同期、または、その仕様の異なるＮ個の映像信号から前記Ｎ個の表示領域に表示するＮ個の表示信号を得るＮ個の映像信号処理手段と、
前記Ｎ個の映像信号からそれぞれ得られた同期信号と、外部より入力された表示制御信号とに基づいて、
前記Ｎ個の垂直走査回路と前記Ｎ個の水平走査回路へ供給するそれぞれＮ個の垂直走査クロック信号、垂直走査開始信号、水平走査クロック信号、及び水平走査開始信号等のＮ個の駆動信号を発生する駆動信号発生手段と、
を具備する
ことを特徴とする画像表示装置。
【請求項２】
前記駆動信号発生手段は、選択手段を具備し、
この選択手段は、
前記表示制御信号に基づいて、
前記Ｎ個の映像信号、または、前記Ｎ個の表示信号を前記Ｎ個の水平走査回路に振り分けてそれぞれ出力するか、
または、前記Ｎ個の映像信号、または、前記Ｎ個の表示信号のうち１個の映像信号、または、1個の表示信号を前記Ｎ個の水平走査回路へ全て供給することを特徴とする請求項１記載の画像表示装置。
【請求項３】
複数本の第１走査信号線と、前記第１走査信号線と略直交する複数本の第１データ信号線と、各前記第１走査信号線及びデータ信号線との交点近傍にスイッチ素子を介して配置される第１画素電極とから構成される第１表示領域と、
前記第１走査信号線に沿って配置される複数本の第２走査信号線と、前記第２走査信号線と略直交する複数本の第２データ信号線と、各前記第２走査信号線及びデータ信号線との交点近傍にスイッチ素子を介して配置される第２画素電極とから構成される第２表示領域と、
を備えた表示パネルと、
前記第１及び第２走査信号線に接続される第１及び第２垂直走査回路と、
前記第１及び第２データ信号線に接続される第１及び第２映像信号処理回路と、
駆動信号発生手段と、を具備し、
前記駆動信号発生手段は、
外部から入力される第１入力映像信号に基づいて、前記第１垂直走査回路に第１垂直制御信号を出力すると共に前記第１映像信号処理回路に第１映像信号及び第１水平制御信号を出力する第１駆動回路部と、
外部から入力され前記第１入力映像信号と非同期又は仕様の異なる第２入力映像信号に基づいて、前記第２垂直走査回路に第２垂直制御信号を出力すると共に前記第２映像信号処理回路に第２映像信号及び第２水平制御信号を出力する第２駆動回路部とを含む
ことを特徴とする画像表示装置。
【請求項４】
前記駆動信号発生手段は、
前記第２垂直走査回路に第２垂直制御信号を出力すると共に前記第２映像信号処理回路に第２映像信号及び第２水平制御信号を出力するか、
または、前記第２垂直走査回路に第１垂直制御信号を出力すると共に前記第２映像信号処理回路に第１映像信号及び第１水平制御信号を出力するか、を選択する選択手段を備えたことを特徴とする請求項３記載の画像表示装置。
【請求項５】
前記第１及び第２垂直制御信号は、
垂直走査クロック信号及び垂直走査開始信号を含み、
前記第１及び第２水平制御信号は、水平走査クロック信号及び水平走査開始信号を含むことを特徴とする請求項３記載の画像表示装置。
【請求項６】
前記表示パネルは、複数本の第３走査信号線と、前記第３走査信号線と略直交する複数本の第３データ信号線と、各前記第３走査信号線及びデータ信号線との交点近傍にスイッチ素子を介して配置される第３画素電極とから構成される第３表示領域を含み、前記第３走査信号線に接続される第３垂直走査回路と、
前記第３データ信号線に接続される第３映像信号処理回路と、を具備し、
前記駆動信号発生手段は、
外部から入力される第３入力映像信号に基づいて、前記第３垂直走査回路に第３垂直制御信号を出力すると共に前記第３映像信号処理回路に第３映像信号及び第３水平制御信号を出力する第３駆動回路部を含むことを特徴とする請求項３記載の画像表示装置。
【請求項７】
表示パネルのほぼ中央で２分割された複数の走査信号線と複数のデータ信号線の交点にマトリクス状に配置された複数の表示画素と、前記２分割された複数の走査信号線にそれぞれ接続される垂直走査回路と、前記複数のデータ信号線に表示信号を供給する水平走査回路とを有し、
前記垂直走査回路へ垂直走査クロック信号と垂直走査開始信号とを供給し、また、前記水平走査回路へ水平走査クロック信号と水平走査開始信号と映像信号とを供給することにより、前記表示パネルの左右に同期していない２系統の映像信号から得られる画像を表示する画像表示装置において、
表示パネルの左側の画素に接続される第１の垂直走査回路と第１の水平走査回路とに供給する垂直走査クロック信号、垂直走査開始信号、水平走査クロック信号、及び水平走査開始信号等の第１の駆動信号を発生する第１の走査制御手段と、表示パネルの右側の画素に接続される第２の垂直走査回路と第２の水平走査回路に供給する垂直走査クロック信号、垂直走査開始信号、水平走査クロック信号、及び水平走査開始信号等の第２の駆動信号を発生する第２の走査制御手段と、第１の選択信号に基づき、前記第１の水平走査回路に供給する第１の表示信号を第１の映像信号と第２の映像信号のいずれかから得る第１の映像処理選択出力手段と、第２の選択信号に基づき、前記第２の水平走査回路に供給する第２の表示信号を第１の映像信号と第２の映像信号のいずれかから得る第２の映像処理選択出力手段と、第１の映像処理選択出力手段から供給される第１の映像信号の同期信号に同期した第１の基準信号である第１のクロック信号、映像開始タイミングを示す第１の映像開始信号及び映像終了タイミングを示す第１の映像終了信号を発生する第１の基準信号発生手段と、第２の映像処理選択出力手段から供給される第２の映像信号の同期信号に同期した第２の基準信号である第２のクロック信号、映像開始タイミングを示す第２の映像開始信号及び映像終了タイミングを示す第２の映像終了信号を発生する第２の基準信号発生手段と、前記第１の映像開始信号と第２の映像開始信号、第１のクロック信号と第２のクロック信号のいずれかを第１の選択信号に基づいて選択し、第１の走査制御手段に第１の基準信号として供給する第１の信号選択手段と前記第１の映像開始信号と第２の映像開始信号、第１のクロック信号と第２のクロック信号のいずれかを第２の選択信号に基づいて選択し、第２の走査制御手段に第２の基準信号として供給する第２の信号選択手段と第１の走査制御手段に供給する第１の表示制御信号を第１のサンプリング信号に基づいて得る第１の制御信号取得手段と第２の走査制御手段に供給する第２の表示制御信号を第２のサンプリング信号に基づいて得る第２の制御信号取得手段と外部より入力された表示制御信号から第１の制御信号取得手段、第２の制御信号取得手段及び画面切換制御手段に供給する信号を得るデコード手段と前記デコード手段から供給された信号に基づき、前記第１、第２の選択信号を発生する選択信号発生手段、前記第１、第２の制御信号取得手段に供給する第１、第２のサンプリング信号を発生するサンプリング制御手段、第１、第２の走査制御手段に供給する１画面表示期間を示す１／２画面信号を発生する１／２画面信号発生手段からなる画面切換制御手段を具備し、前記１／２画面信号が２画面表示期間を示す場合には、第１の走査制御手段、第２の走査制御手段は表示パネルの左側の画素と右側の画素に同期していない２系統の映像信号から得られる画像を表示するように、それぞれ第１、第２の駆動信号を発生し、前記１／２画面信号が１画面表示期間を示す場合には、第１の走査制御手段、第２の走査制御手段は第１、第２の水平走査回路にそれぞれ供給する水平走査クロック信号の周波数を２画面表示時の約１／２の周波数とし、更に、第１の水平走査回路、第２の水平走査回路にそれぞれ供給する水平走査開始信号の位相を、第１の水平走査回路、第２の水平走査回路においてそれぞれ走査された映像を合わせると１画面の画像となるような位相で発生することを特徴とする画像表示装置。
【請求項８】
第１の走査制御手段、第２の走査制御手段にそれぞれ供給される第１、第２の基準信号を、同一或いは異なる基準信号から選択し供給することにより表示パネルに単一或いは複数の画像からなる表示を行う画像表示装置において、前記選択信号発生手段は、第１、第２の選択信号をそれぞれ第１、第２の走査制御手段による駆動走査が終了した後に新たな値に更新することにより、第１、第２の走査制御手段による駆動走査を、更新直後から新たな基準信号が供給されるまでの期間は一時的に停止することを特徴とする請求項７に記載の画像表示装置。
【請求項９】
第１、第２の走査制御手段にそれぞれ供給される第１、第２の基準信号を異なる基準信号から同一の基準信号に切り換えることにより、２画面表示から単一の画像からなる１画面表示への画面切り換え機能を有する画像表示装置において、前記単一画像への切り換え制御は、第１、第２の制御信号取得手段とサンプリング制御手段により、サンプリング制御信号取得手段から２画面表示と１画面表示のいずれも表示するよう制御される走査制御手段に供給する表示制御信号のデータ更新を、サンプリング制御手段に供給される制御信号が変わるタイミングから１画面表示を行わない方の映像終了信号が供給されるまでの間は、禁止することを特徴とする請求項７に記載の画像表示装置。
【発明の詳細な説明】
【０００１】
【発明の属する技術分野】
この発明は、縦横比Ｘ：Ｙの表示画面に入力される画像信号を順次サンプリングして画像表示を行う画像表示装置に関する。
【０００２】
【従来の技術】
液晶表示装置に代表される画像表示装置は、薄型、軽量、低消費電力の特徴を生かして、パーソナルコンピュータやワードプロセッサ等の表示装置として、テレビジョンあるいは、カー・ナビゲーション・システムの表示装置として、さらに投射型の表示装置として各種分野で利用されている、中でも、各表示画素にスイッチ素子が電気的に接続されてなるアクティブマトリクス型液晶表示装置は、隣接画素間でクロストークのない良好な表示画素を実現できることから、盛んに研究・開発が行われている。
【０００３】
特に、近年では、アスペクト比３：４の表示画面から、視覚的に大画面が認識されるアスペクト比９：１６等の水平走査方向に延びた表示画面へと移行しつつある。
【０００４】
ところで、アスペクト比９：１６の表示画面を備えた液晶表示装置に、アスペクト比３：４の画像情報を持つテレビジョン信号を表示させる場合、従来ではフレームメモリ等を用いた画像処理技術により、予め画像処理された映像信号に基づいて順次サンプリングし表示を行っていた。
【０００５】
１．従来の画像表示装置の構成
図９は、従来の画像表示装置の概略構成図である。
【０００６】
（入力処理回路１）
入力処理回路１は、例えば図１０に示すように、復調回路１０３、マトリクス回路１０４、Ａ／Ｄ（アナログ／デジタル）変換回路１０５から構成されている。
【０００７】
入力端子１０１，１０２を介して入力された映像信号を、輝度信号Ｙ１，Ｙ２と色信号Ｃ１，Ｃ２と同期信号Ｓ１，Ｓ２とに復調回路１０３で復調し、マトリクス回路１０４で輝度信号と色信号から３原色信号Ｒ１，Ｇ１，Ｂ１とＲ２，Ｇ２、Ｂ２に復調される。
【０００８】
そして、同期信号Ｓ１，Ｓ２と、Ａ／Ｄ変換回路１０５で前記３原色信号がデジタルデータに変換されてなる映像信号１と映像信号２とが、図９のフレーム同期回路２に供給される。
【０００９】
（フレーム同期回路２）
フレーム同期回路２は、図１１に示すように、制御回路２０１とフレームメモリ２０２から構成されている。
【００１０】
制御回路２０１に供給される同期信号Ｓ１，Ｓ２に基づいて前記映像信号２のフレームメモリ２０２への書き込みと読み出しの制御を行い、フレーム同期のとれた映像信号１と映像信号２を図１３のデータ変換回路３へ供給する。
【００１１】
（データ変換回路３）
データ変換回路３は、前記映像信号１と映像信号２のデータを平面表示装置７の画面表示に適するデータに変換し画像合成回路５に出力する。
【００１２】
（残領域信号発生回路４）
残領域信号発生回路４は、平面表示装置７に表示する映像の有効表示期間以外の期間内における信号である残領域信号を発生する回路である。
【００１３】
この残領域信号とデータ変換回路３を介して入力された映像信号との画像の合成が画像合成回路５により行われ、合成された画像合成信号が出力処理回路６に出力される。
【００１４】
（出力処理回路６）
出力処理回路６は、Ｄ／Ａ（デジタル／アナログ）変換処理等を行い、平面表示装置７に前記画像合成信号を供給する。
【００１５】
（平面表示装置７）
平面表示装置７は、図１２に示すように、液晶パネル７０１と液晶パネル７０１に電気的に接続され映像信号をサンプリングすることにより所望の電圧を液晶パネル７０１の信号線７０５に供給する水平走査回路７０９及び液晶パネル７０１の走査線７０４に走査パルスを供給する垂直走査回路７０８、駆動信号発生回路７１１からの極性反転信号（ＰＯＬ）の制御により各水平走査期間及び各垂直走査期間周期で基準電圧に対してレベル反転されるコモン電圧（ＶＣＯＭ）を発生し対向電極７０６に供給するコモン電圧発生回路７１０、駆動信号発生回路７１１、液晶パネル７０１を適切に駆動させるためにガンマ補正等の映像処理を行う映像信号処理回路７１２、及びレベル反転回路７１３から構成される。
【００１６】
（レベル反転回路７１３）
レベル反転回路７１３は、駆動信号発生回路７１１からの極性反転信号（ＰＯＬ）の制御により、映像信号処理回路７１２から供給される映像信号をコモン電圧（ＶＣＯＭ）のレベル反転に同期して、逆位相で基準電圧に対してレベル反転して水平走査回路７０９に出力する。
【００１７】
これにより、液晶印加電圧の極性が周期的に反転される。
【００１８】
（液晶パネル７０１）
液晶パネル７０１は図示しないが、アレイ基板と対向基板とが、それぞれ配向膜を介してツイスト・ネマチック型の液晶層を保持し、シール材によって互いに保持されている。
【００１９】
また、各基板外表面には、それぞれ偏光板が、その偏光軸が直交するように配置されている。アレイ基板は、複数のデータ信号線７０５と複数の走査信号線７０４とが略直交するように配置されている。
【００２０】
各データ信号線７０５と各走査信号線７０４との交差近傍には、それぞれ活性層に非結晶シリコン薄膜が用いられてなる逆スタガ型の薄膜トランジスタ（以下、ＴＦＴと略称する。）からなるスイッチング素子７０３を介してＩ．Ｔ．Ｏ（Ｉｎｄｉｍ  Ｔｉｎ  Ｏｘｉｄｅ）からなる画素電極７０２が配置されている。
【００２１】
また、アレイ基板は、図示しないが走査信号線７０４に対して略平行に、しかも画素電極７０２と重複する領域を有して配置される補助容量線Ｃｊ（ｊ＝１，２，……）を備え、画素電極と補助容量線Ｃｊとによって補助容量（Ｃｓ）が形成されている。
【００２２】
対向基板は図示しないが、アレイ基板に形成されるＴＦＴからなるスイッチング素子７０３、データ信号線７０５と画素電極７０２との間隙、走査信号線７０４と画素電極７０２との間隙のそれぞれを遮光するためのマトリクス状の遮光層、カラー表示を実現するため遮光層間に配置される赤（Ｒ）、緑（Ｇ）、青（Ｂ）の３原色で構成されるカラーフィルタ層を備え、さらに、Ｉ．Ｔ．Ｏ．からなる対向電極７０６が配置されている。
【００２３】
各スイッチング素子７０３を構成するＴＦＴは走査信号線７０４に接続されるゲート電極、画素電極７０２に接続されるドレイン電極、及びデータ信号線に接続されるソース電極を含む。
【００２４】
そして、この走査信号線７０４を介して供給される走査パルスにより、ソース・ドレイン電極間が導通し、データ信号線に応じて設定されたデータ信号線７０５の電位を画素電極に印加する。
【００２５】
液晶パネル７０１の有効表示領域は、画素電極７０２、対向電極７０６、並びにこれら画素電極７０２及び対向電極間に配置される液晶層から構成される複数の表示画素からなり、各表示画素の光透過率はこれら画素電極７０２と対向電極７０６間の電位差により制御される。
【００２６】
（駆動信号発生回路７１１）
このようにして、上述した液晶パネル７０１の駆動信号発生回路７１１は、水平走査回路７０９に水平走査クロック信号（ＣＰＨ）、水平走査開始信号（ＳＴＨ）及び表示画素への書き込み信号（ＣＸ）を供給すると共に、垂直走査回路７０８に垂直走査クロック信号（ＣＰＶ）、垂直走査開始信号（ＳＴＶ）及び垂直走査禁止信号（ＧＯＥ）のそれぞれを出力する。
【００２７】
２．データ変換回路３の構成
データ変換回路３の一構成例を図１３に、平面表示装置７の表示形態を図１４に示す。
【００２８】
図１４を用いて図１３の構成を詳細に説明する。
【００２９】
データ変換回路３は、１Ｈメモリー回路３０１，３０２，３１０と書き込み制御回路３０３，３１１と読み出し制御回路３０４，３１２と選択回路３０５，３０６，３０７，３０８及びデジタルフィルタ３０９から構成される。
【００３０】
液晶パネル７０１の表示領域を図１４（ａ）に示すようなアスペクト比９：１６の表示形態で表示する場合について説明する。
【００３１】
選択回路３０７は選択回路３０６を介して映像信号１と映像信号２のいずれか一方を画像合成回路５に供給する。このようにして供給された映像信号は水平走査期間（１Ｈ）の８０％の期間を有効表示期間としてアスペクト比９：１６の画面に表示されるので、図１４（ａ）の表示形態を得る。
【００３２】
液晶パネル７０１の表示領域を図１４（ｂ）に示すようにアスペクト比９：８の領域Ａ、領域Ｂとに分割し、それぞれの領域に映像信号を表示する場合について説明する。
【００３３】
書き込み制御回路３０３は入力される同期信号Ｓ１、クロック信号に基づき、フレーム同期回路２から供給されるフレーム同期した２つの映像信号１、映像信号２をそれぞれ１Ｈメモリー回路３０１，３０２にデータ数を１／２に間引いて書き込むよう制御する。読み出し制御回路３０４は入力される同期信号Ｓ１，クロック信号に基づき１／２Ｈ期間に書き込まれた全データを読み出すよう制御される。選択回路３０７は前記１Ｈメモリー回路３０１，３０２から読み出される映像信号を選択回路３０５を介して選択出力することにより時分割多重された映像信号を画像合成回路５に供給する。このようにして供給された映像信号は水平走査期間（１Ｈ）の８０％の期間を有効表示期間としてアスペクト比９：１６の画面に表示されるので、図１４（ｂ）の領域Ａと領域Ｂのそれぞれに映像信号１と映像信号２或いは映像信号２と映像信号１を表示することができる。
【００３４】
次に、液晶パネル７０１の表示領域を図１４（ｃ），（ｄ）に示すようにアスペクト比９：１２（３：４）の第１表示領域Ａとアスペクト比９：４の第２表示領域Ｂに分割し、領域Ａに映像信号を領域Ｂに残領域信号を表示する場合について説明する。
【００３５】
選択回路３０８は入力される映像信号１と映像信号２のいずれか一方をデジタルフィルタ３０９に供給する。デジタルフィルタ３０９は選択回路３０８を介して供給される映像信号の４個のデータから３個のデータを、書き込み制御回路３１１から供給される補間演算制御信号と補間クロック信号、クロック信号に基づき補間演算処理することにより求め、１Ｈメモリ回路３１０に供給する。書き込み制御回路３１１はまた、デジタルフィルタ３０９の出力信号を１Ｈメモリ回路３１０に補間クロックで書き込むよう制御する。読み出し制御回路３１２は入力される同期信号Ｓ１，クロック信号に基づき補間クロックで書き込まれた全データをクロックで読み出すよう制御される。選択回路３０７は前記１Ｈメモリ回路３１０から供給される映像信号を画像合成回路５に供給する。画像合成回路５は映像信号の水平走査期間（１Ｈ）の８０％の期間を有効表示期間とし、有効表示期間ｘ３／４の期間に時間軸圧縮処理されたデータ変換回路３から供給される映像信号と、残りの有効表示期間ｘ１／４の期間に残領域信号発生回路４から供給される残領域信号とを合成し出力処理回路６に出力する。アスペクト比９：１６の画面には有効表示期間の映像が表示されるので、図１４（ｃ），（ｄ）の領域Ａと領域Ｂのそれぞれに前記映像信号と残領域信号を表示することができる。
【００３６】
３．２画面表示の説明
図１５は、２画面表示における表示形態を示す図である。
【００３７】
図１５（ａ）は、図１４（ｂ）の２画面表示における表示形態を示す図であり、表示される画像は図に示すように丸が縦長の楕円表示になるように表示される。
【００３８】
図１５（ｂ）は、図１３の書き込み制御回路３０３を同期信号Ｓ１、クロック信号に基づき、フレーム同期回路２から供給されるフレーム同期した２つの映像信号１・映像信号２をそれぞれ１Ｈメモリー回路３０１，３０２にデータ数を１／２に間引いて書き込むよう制御し、読み出し制御回路３０４を同期信号Ｓ１、クロック信号に基づき１／２Ｈ期間に書き込まれた全データのうち２／３を読み出すよう制御する方法か、あるいは、書き込み制御回路３０３を同期信号Ｓ１、クロック信号に基づき、フレーム同期回路２から供給されるフレーム同期した２つの映像信号１、映像信号２をそれぞれ１Ｈメモリー回路３０１，３０２にデータ数を２／３に間引いて書き込むよう制御し、読み出し制御回路３０４を同期信号Ｓ１、クロック信号に基づき１／２Ｈ期間に書き込まれた全データを読み出すよう制御する方法のいずれかを用いる方法で行われ、表示されるべき画像の水平方向に対して２／３が表示される。例えば、アスペクト比３：４の映像の両側がそれぞれ２／３ずつカットされた、アスペクト比９：８の画面が表示される。この表示では図に示すように丸が円になる。
【００３９】
図１５（ｃ）は、図１３の書き込み制御回路３０３を同期信号Ｓ１、クロック信号に基づき、フレーム同期回路２から供給されるフレーム同期した２つの映像信号１、映像信号２をそれぞれ１Ｈメモリー回路３０１，３０２にデータ数を１／２に間引いて書き込むよう制御し、読み出し制御回路３０４を同期信号Ｓ１、クロック信号に基づき１／２Ｈ期間に書き込まれた全データを読み出すよう制御し、平面表示装置７の駆動信号発生回路７１１を介して垂直走査回路７０８を間引き走査することにより行われ、図に示すように上下が残領域である表示となる。
【００４０】
【発明が解決しようとする課題】
このように、従来ではアスペクト比９：１６等の表示画面に、アスペクト比の異なる画像情報を持つ映像信号を、アスペクト比９：１２なる領域やアスペクト比９：４なる領域、アスペクト比９：８なる表示画面の左右の領域、さらに任意のアスペクト比の領域に表示するためには、データ変換回路３が複雑になり、特に書き込み制御回路３１１の補間演算制御信号と補間クロック信号の発生回路とデジタルフィルタ３０９の回路構成が任意のアスペクト比に対応するには回路規模の増大なしには安価に実現できなかった。
【００４１】
また、表示パネルの左右に表示するいずれか一方の映像信号を主信号として、他方の映像信号のメモリからの読み出しを制御することでフィールド或いはフレーム同期をとるため、主信号が不安定な信号である場合には画像が安定して表示されないという課題があった。
【００４２】
特に、カー・ナビゲーション・システムでＴＶ放送を受信する際には、ＴＶ信号が弱電界となる場合があり、この場合ＴＶ信号を主信号にすると水平方向への画像の揺らぎや垂直信号が検出されないことによる画面の凍結、垂直信号の誤検出による画像の垂直方向の揺れ等が生じるため、車内に設置しているカー・ナビゲーション・システムで発生される地図情報等の信号を常に主信号に用いる必要があった。このため、車外から送信される信号は１系統しか表示することができなかった。
【００４３】
この発明は、同期していない２系統の映像信号による２画面表示を行う画像表示装置において、画面切り換え時に発生する画像の欠落を防止することを目的としている。
【００４４】
【課題を解決するための手段】
第１の発明は、複数の走査信号線と複数のデータ信号線の交点にマトリクス状に配置された複数の表示画素とよりなり、電気的に独立のＮ個（Ｎ≧２）に分割された表示領域を有する表示パネルと、前記Ｎ個に分割された表示領域に配線された走査信号線にそれぞれ接続されるＮ個の垂直走査回路と、前記Ｎ個に分割された表示領域に配線されたデータ信号線にそれぞれ接続されるＮ個の水平走査回路と、互いに非同期、または、その仕様の異なるＮ個の映像信号から前記Ｎ個の表示領域に表示するＮ個の表示信号を得るＮ個の映像信号処理手段と、前記Ｎ個の映像信号からそれぞれ得られた同期信号と、外部より入力された表示制御信号とに基づいて、前記Ｎ個の垂直走査回路と前記Ｎ個の水平走査回路へ供給するそれぞれＮ個の垂直走査クロック信号、垂直走査開始信号、水平走査クロック信号、及び水平走査開始信号等のＮ個の駆動信号を発生する駆動信号発生手段と、を具備することを特徴とする画像表示装置である。
【００４５】
第２の発明は、複数本の第１走査信号線と、前記第１走査信号線と略直交する複数本の第１データ信号線と、各前記第１走査信号線及びデータ信号線との交点近傍にスイッチ素子を介して配置される第１画素電極とから構成される第１表示領域と、前記第１走査信号線に沿って配置される複数本の第２走査信号線と、前記第２走査信号線と略直交する複数本の第２データ信号線と、各前記第２走査信号線及びデータ信号線との交点近傍にスイッチ素子を介して配置される第２画素電極とから構成される第２表示領域と、を備えた表示パネルと、前記第１及び第２走査信号線に接続される第１及び第２垂直走査回路と、前記第１及び第２データ信号線に接続される第１及び第２映像信号処理回路と、駆動信号発生手段と、を具備し、前記駆動信号発生手段は、外部から入力される第１入力映像信号に基づいて、前記第１垂直走査回路に第１垂直制御信号を出力すると共に前記第１映像信号処理回路に第１映像信号及び第１水平制御信号を出力する第１駆動回路部と、外部から入力され前記第１入力映像信号と非同期又は仕様の異なる第２入力映像信号に基いて、前記第２垂直走査回路に第２垂直制御信号を出力すると共に前記第２映像信号処理回路に第２映像信号及び第２水平制御信号を出力する第２駆動回路部とを含むことを特徴とする画像表示装置である。
【００４６】
また、この発明は、表示パネルのほぼ中央で２分割された複数の走査信号線と複数のデータ信号線の交点にマトリクス状に配置された複数の表示画素と、前記２分割された複数の走査信号線にそれぞれ接続される垂直走査回路と、前記複数のデータ信号線に表示信号を供給する水平走査回路とを有し、前記垂直走査回路へ垂直走査クロック信号と垂直走査開始信号とを供給し、また、前記水平走査回路へ水平走査クロック信号と水平走査開始信号と映像信号とを供給することにより、前記表示パネルの左右に同期していない２系統の映像信号から得られる画像を表示する画像表示装置において、表示パネルの左側の画素に接続される第１の垂直走査回路と第１の水平走査回路とに供給する垂直走査クロック信号、垂直走査開始信号、水平走査クロック信号、及び水平走査開始信号等の第１の駆動信号を発生する第１の走査制御手段と、表示パネルの右側の画素に接続される第２の垂直走査回路と第２の水平走査回路に供給する垂直走査クロック信号、垂直走査開始信号、水平走査クロック信号、及び水平走査開始信号等の第２の駆動信号を発生する第２の走査制御手段と、第１の選択信号に基づき、前記第１の水平走査回路に供給する第１の表示信号を第１の映像信号と第２の映像信号のいずれかから得る第１の映像処理選択出力手段と、第２の選択信号に基づき、前記第２の水平走査回路に供給する第２の表示信号を第１の映像信号と第２の映像信号のいずれかから得る第２の映像処理選択出力手段と、第１の映像処理選択出力手段から供給される第１の映像信号の同期信号に同期した第１の基準信号である第１のクロック信号、映像開始タイミングを示す第１の映像開始信号及び映像終了タイミングを示す第１の映像終了信号を発生する第１の基準信号発生手段と、第２の映像処理選択出力手段から供給される第２の映像信号の同期信号に同期した第２の基準信号である第２のクロック信号、映像開始タイミングを示す第２の映像開始信号及び映像終了タイミングを示す第２の映像終了信号を発生する第２の基準信号発生手段と、前記第１の映像開始信号と第２の映像開始信号、第１のクロック信号と第２のクロック信号のいずれかを第１の選択信号に基づいて選択し、第１の走査制御手段に第１の基準信号として供給する第１の信号選択手段と前記第１の映像開始信号と第２の映像開始信号、第１のクロック信号と第２のクロック信号のいずれかを第２の選択信号に基づいて選択し、第２の走査制御手段に第２の基準信号として供給する第２の信号選択手段と第１の走査制御手段に供給する第１の表示制御信号を第１のサンプリング信号に基づいて得る第１の制御信号取得手段と第２の走査制御手段に供給する第２の表示制御信号を第２のサンプリング信号に基づいて得る第２の制御信号取得手段と外部より入力された表示制御信号から第１の制御信号取得手段、第２の制御信号取得手段及び画面切換制御手段に供給する信号を得るデコード手段と前記デコード手段から供給された信号に基づき、前記第１、第２の選択信号を発生する選択信号発生手段、前記第１、第２の制御信号取得手段に供給する第１、第２のサンプリング信号を発生するサンプリング制御手段、第１、第２の走査制御手段に供給する１画面表示期間を示す１／２画面信号を発生する１／２画面信号発生手段からなる画面切換制御手段を有する画像表示装置にある。
【００４７】
さらに、この発明は、選択信号発生手段が第１、第２の選択信号をそれぞれ第１、第２の走査制御手段による駆動走査が終了した後に新たな値に更新することにより、第１、第２の走査制御手段による駆動走査を、更新直後から新たな基準信号が供給されるまでの期間は一時的に停止する機能を有する画像表示装置にある。
【００４８】
また、この発明の第１、第２の制御信号取得手段及びサンプリング制御手段による２画面表示から単一の画像からなる１画面表示への画面切り換え制御は、サンプリング制御信号取得手段から２画面表示と１画面表示のいずれも表示するよう制御される走査制御手段に供給する表示制御信号のデータ更新を、サンプリング制御手段に供給される制御信号が変わるタイミングから１画面表示を行わない方の映像終了信号が供給されるまでの間は、禁止することを特徴とする画像表示装置にある。
【００４９】
【発明の実施の形態】
以下、本発明の一実施例の画像表示装置について、図面を参照して説明する。
【００５０】
１．画像表示装置の全体構成の第１の実施例
図１は、本発明に係わる画像表示装置の第１の実施例を示すブロック図である。
【００５１】
（液晶パネル７０１の構造）
液晶パネル７０１は、アレイ基板と対向基板とが、それぞれ配向膜を介してツイスト・ネマチック型の液晶層を保持し、シール材によって互いに保持されている。
【００５２】
また、各基板外表面には、それぞれ偏光板が、その偏光軸が直交するように配置されている。アレイ基板は、複数のデータ信号線７０５と複数の走査信号線７０４とが略直交するように配置されている。
【００５３】
各データ信号線７０５と各走査信号線７０４との交点近傍には、それぞれ活性層に非結晶シリコン薄膜が用いられてなる逆スタガ型の薄膜トランジスタ（以下、ＴＦＴと略称する。）からなるスイッチング素子７０３を介してＩ．Ｔ．Ｏ（Ｉｎｄｉｕｍ  Ｔｉｎ  Ｏｘｉｄｅ）からなる画素電極７０２が配置されている。
【００５４】
アレイ基板は、走査信号線７０４に対して略平行に、しかも画素電極７０２と重複する領域を有して配置される補助容量線Ｃｊ（ｊ＝１，２，……）を備え、画素電極と補助容量線Ｃｊとによって補助容量（Ｃｓ）が形成されている。
【００５５】
対向基板は、アレイ基板に形成されるＴＦＴからなるスイッチング素子７０３、データ信号線７０５と画素電極７０２との間隙、走査信号線７０４と画素電極７０２との間隙のそれぞれを遮光するためのマトリクス状の遮光層、カラー表示を実現するため遮光層間に配置される赤（Ｒ）、緑（Ｇ）、青（Ｂ）の３原色で構成されるカラーフィルタ層を備え、さらに、Ｉ．Ｔ．Ｏ．からなる対向電極７０６（対向電極１、２）が配置されている。
【００５６】
各スイッチング素子７０３を構成するＴＦＴは走査信号線７０４に接続されるゲート電極、画素電極７０２に接続されるドレイン電極、及びデータ信号線に接続されるソース電極を含む。
【００５７】
そして、この走査信号線７０４を介して供給される走査信号により、ソース・ドレイン電極間が導通し、データ信号線に応じて設定されたデータ信号線７０５の電位を画素電極に印加する。
【００５８】
液晶パネル７０１の有効表示領域は、画素電極７０２、対向電極７０６、並びにこれら画素電極７０２及び対向電極間に配置される液晶層から構成される複数の表示画素からなり、各表示画素の光透過率はこれら画素電極７０２と対向電極７０６間の電位差により制御される。
【００５９】
（第１映像信号処理回路７１２−１）
第１映像信号処理回路７１２−１は、端子１０１を介して入力された映像信号１を、３原色信号Ｒ１，Ｇ１，Ｂ１に復調した後、ガンマ処理を行って第１レベル反転回路７１３−１に供給すると共に、映像信号１の同期信号を駆動信号発生回路７１１に供給する。
【００６０】
（第１レベル反転回路７１３−１）
第１レベル反転回路７１３−１は、駆動信号発生回路７１１から供給される極性反転信号１（ＰＯＬ１）の制御により、第1映像信号処理回路７１２−１から供給される映像信号をコモン電圧１（ＶＣＯＭ１）のレベル反転に同期して、逆位相で基準電圧に対してレベル反転して第１ＳＷ回路７１４−１と第２ＳＷ回路７１４−２に供給する。
【００６１】
（第２映像信号処理回路７１２−２）
第２映像信号処理回路７１２−２は、端子１０２を介して入力された映像信号を、３原色信号Ｒ２，Ｇ２，Ｂ２に復調した後、ガンマ処理を行って第２レベル反転回路７１３−２に供給すると共に、映像信号２の同期信号を駆動信号発生回路７１１に供給する。
【００６２】
（第２レベル反転回路７１３−２）
第２レベル反転回路７１３−２は、駆動信号発生回路７１１から供給される極性反転信号２（ＰＯＬ２）の制御により、第２映像信号処理回路７１２−２から供給される映像信号をコモン電圧２（ＶＣＯＭ２）のレベル反転に同期して、逆位相で基準電圧に対してレベル反転して第１ＳＷ回路７１４−１と第２ＳＷ回路７１４−２に供給する。
【００６３】
（第１ＳＷ回路７１４−１、第２ＳＷ回路７１４−２）
第１ＳＷ回路７１４−１と第２ＳＷ回路７１４−２は、第１レベル反転回路７１３−１と第２レベル反転回路７１３−２から供給される映像信号のいずれかを、駆動信号発生回路７１１から供給される制御信号により選択し、それぞれ第１水平走査回路７０９−１と第２水平走査回路７０９−２に出力する。
【００６４】
（第１コモン電圧発生回路７１０−１）
第１コモン電圧発生回路７１０−１は、駆動信号発生回路７１１から供給される極性反転信号１（ＰＯＬ１）の制御により各水平走査期間及び垂直走査期間毎に基準電位に対してレベル反転されるコモン電圧１（ＶＣＯＭ１）を発生し、第１対向電極に供給する。
【００６５】
（第２コモン電圧発生回路７１０−２）
第２コモン電圧発生回路７１０−２は、駆動信号発生回路７１１から供給される極性反転信号２（ＰＯＬ２）の制御により各水平走査期間及び垂直走査期間毎に基準電位に対してレベル反転されるコモン電圧２（ＶＣＯＭ２）を発生し、第２対向電極に供給する。
【００６６】
（駆動信号発生回路７１１）
駆動信号発生回路７１１は、画面表示制御回路７１５、第１走査制御回路７１６−１及び第２走査制御回路７１６−２から構成される。
【００６７】
（画面表示制御回路７１５）
画面表示制御回路７１５は、第１映像信号処理回路７１２−１から供給される同期信号１から第１のＨ基準信号と第１のＶ基準信号を発生し、第２映像信号処理回路７１２−２から供給される同期信号２から第２のＨ基準信号と第２のＶ基準信号を発生する。
【００６８】
そして、端子１００から供給される画面表示制御信号に基づいて、同一或いは異なるＨ基準信号とＶ基準信号とを選択して第１走査制御回路７１６−１と第２走査制御回路７１６−２に供給する。
【００６９】
また、画面表示制御回路７１５は端子１００から供給される画面表示制御信号に基づく画面表示信号を第１走査制御回路７１６−１と第２走査制御回路７１６−２に供給する。
【００７０】
（第１走査制御回路７１６−１）
第１走査制御回路７１６−１は、前記画面表示信号と、Ｈ基準信号、Ｖ基準信号に基づき、水平走査開始信号（ＳＴＨ１）、水平走査クロック信号（ＣＰＨ１）、表示画素への書き込み信号（ＣＸ１）を発生し、第１水平走査回路７０９−１に供給すると共に、垂直走査クロック信号（ＣＰＶ１）、垂直走査開始信号１（ＳＴＶ１１、１２）（ＳＴＶ１とする）及び垂直走査禁止信号（ＧＯＥ１１〜１３）を発生し、第１垂直走査回路７０８−１に供給する。
【００７１】
（第２走査制御回路７１６−２）
第２走査制御回路７１６−２では、前記画面表示信号と、Ｈ基準信号、Ｖ基準信号に基づき、水平走査開始信号（ＳＴＨ２）、水平走査クロック信号（ＣＰＨ２）、表示画素への書き込み信号（ＣＸ２）を発生し、第２水平走査回路７０９−２に供給すると共に、垂直走査クロック信号（ＣＰＶ２）、垂直走査開始信号２（ＳＴＶ２１、２２）（ＳＴＶ２とする）及び垂直走査禁止信号（ＧＯＥ２１〜２３）を発生し、第２垂直走査回路７０８−２に供給する。
【００７２】
（第１垂直走査回路７０８−１、第２垂直走査回路７０８−２）
第１垂直走査回路７０８−１と第２垂直走査回路７０８−２は、表示パネルの略中央で分割された走査信号線７０４のそれぞれに走査信号を供給する駆動動作を行う。この第１垂直走査回路７０８−１と第２垂直走査回路７０８−２は複数の走査信号線７０４に対応し、それぞれ垂直走査開始信号１，２（ＳＴＶ１、２）を伝送するために直列に接続される複数のフリップフロップで構成されるシフトレジスタ回路を有する。このシフトレジスタ回路は垂直走査クロック信号１，２（ＣＰＶ１，２）に応答して垂直走査開始信号１，２（ＳＴＶ１、２）のシフト動作を行い、垂直走査開始信号１，２（ＳＴＶ１，２）をラッチしたフリップフロップに対応する走査信号線７０４に走査信号を出力する。また、前記走査信号は垂直走査禁止信号（ＧＯＥ１１〜１３，ＧＯＥ２１〜ＧＯＥ２３）により走査信号線７０４に出力する期間を制限される。
【００７３】
（第１水平走査回路７０９−１、第２水平走査回路７０９−２）
第１水平走査回路７０９−１と第２水平走査回路７０９−２は、それぞれレベル反転された映像信号１，２をデータ信号として順次サンプルホールドし、表示パネルの略中央で分割された走査信号線７０４により２分割された複数の画素電極７０２へそれぞれ映像信号を供給するよう、データ信号に応じて複数のデータ信号線７０５を駆動する駆動動作を行う。
【００７４】
この第１水平走査回路７０９−１と第２水平走査回路７０９−２はそれぞれ水平走査開始信号１，２（ＳＴＨ１，２）を伝送するために直列に接続される複数のフリップフロップで構成される少なくとも１個のシフトレジスタを有する。
【００７５】
各シフトレジスタは水平走査クロック信号１，２（ＣＰＨ１，２）に応答して水平走査開始信号１，２（ＳＴＨ１，２）のシフト動作を行い、各フリップフロップが水平走査開始信号１，２（ＳＴＨ１，２）を出力するタイミングで映像信号をサンプルホールドし、このフリップフロップに対応するデータ信号線７０５にデータ信号として供給する。
【００７６】
２．駆動信号発生回路７１１の構成
図２は、画面表示制御回路７１５の構成例を示す図である。
【００７７】
図３は、基準信号発生回路７１７の第１の構成例を示す図であり、図４は基準信号発生回路７１７の第２の構成例を示す図である。
【００７８】
図２，３，４を用いて本発明に係わる駆動信号発生回路７１１の動作を詳細に説明する。
【００７９】
画面表示制御回路７１５は、第１基準信号発生回路７１７−１と第２基準信号発生回路７１７−２と制御回路７１８により構成される。また、第１基準信号発生回路７１７−１と第２基準信号発生回路７１７−２はそれぞれ、図３或いは図４の構成からなる。
【００８０】
（基準信号発生回路７１７の第１の構成例）
図３の基準信号発生回路７１７は、ＰＬＬ回路７１９、Ｖ同期検出回路７２４、Ｖカウンタ７２５，Ｈ基準信号発生回路７２６及びＶ基準信号発生回路７２７により構成される。
【００８１】
ＰＬＬ回路７１９はループフィルタ７２０、電圧制御発振器（ＶＣＯ）７２１位相比較回路７２２，Ｈカウンタ７２３で構成される。
【００８２】
ＰＬＬ回路７１９では、位相比較回路７２２が映像信号処理回路７１２から供給される同期信号の水平同期信号とＨカウンタ７２３から供給される基準水平信号との位相差を検出し、この位相差に応じた誤差信号を発生する。
【００８３】
ループフィルタ７２０は、位相比較回路７２２から得られる誤差信号から高周波成分や雑音を取り除いた信号電圧を発生する。
【００８４】
ＶＣ０７２１は、前記信号電圧に基づいて基準クロック信号を発生し、この基準クロック信号をＨカウンタ７２３と、必要に応じてＶ同期検出回路７２４，Ｖカウンタ７２５，Ｈ基準信号発生回路７２６及びＶ基準信号発生回路７２７等に供給する。
【００８５】
Ｈカウンタ７２３は、１行分の画素数をカウントし、この画素数に対応して基準クロック信号を分周し、基準水平信号として位相比較回路７２２に供給する。またＨカウンタ７２３は、各回路ブロックが必要とする位相の異なる周波数ｆＨの第２の基準水平信号や周波数ｎ×ｆＨの第３基準水平信号をＶカウンタ７２５とＨ基準信号発生回路７２６及びＶ基準信号発生回路７２７に供給する。
【００８６】
Ｈ基準信号発生回路７２６は、前記基準信号に基づいて、各種水平駆動制御信号を発生するための基準となるＨ基準信号を発生し、制御回路７１８に供給する。
【００８７】
Ｖ同期検出回路７２４は、映像信号処理回路７１２から供給される同期信号から垂直同期信号を検出し、Ｖカウンタ７２５に供給する。
【００８８】
Ｖカウンタ７２５は、例えば自走周期がＮＴＳＣ方式の場合にはフィールド周期の５２５Ｈ／２となる機能を持つカウンタで構成される。このＶカウンタ７２５には、前記Ｈカウンタ７２３から２×ｆＨの基準水平信号が供給され、前記Ｖ同期検出回路７２４から垂直同期信号が供給されない場合は自己リセットをして５２５Ｈ／２の周期で自走するよう動作し、垂直同期信号が供給される場合は垂直同期信号と基準水平信号に基づいて位相を引き込むよう値がリセットされるよう動作する。またＶカウンタは垂直同期信号に同期した基準垂直信号をＶ基準信号発生回路７２７に供給する。
【００８９】
Ｖ基準信号発生回路７２７は、前記基準垂直信号に基づいて、各種垂直駆動制御信号を発生するための基準となるＶ基準信号を発生し、制御回路７１８に供給する。
【００９０】
つまり、この図３の構成による基準信号発生回路７１７は、Ｖ同期検出回路７２４で垂直同期信号が検出できないような同期信号が入力された場合にも、安定にＶ基準信号を制御回路７１８に供給できる。
【００９１】
この実施例では、Ｈ基準信号発生回路７２６とＶ基準信号発生回路７２７でＨ基準信号とＶ基準信号を、それぞれ供給される基準水平信号と基準垂直信号から発生しているが、制御回路７１８を介し、第１走査制御回路７１６−１と第２走査制御回路７１６−２に供給する信号が、水平タイミング信号と垂直タイミング信号の２種類の情報からなる信号である場合は、前記Ｈ基準信号発生回路７２６とＶ基準信号発生回路７２７を用いず、前記基準水平信号と基準垂直信号を制御回路７１８を介し、第１走査制御回路７１６−１と第２走査制御回路７１６−２に直接供給する構成にしてもよい。
【００９２】
（基準信号発生回路７１７の第２の構成例）
図４の基準信号発生回路７１７は、図３の基準信号発生回路７１７のＶ同期検出回路７２４で検出された垂直基準信号を、Ｖ基準信号発生回路７２７に直接供給する構成であることを除き、他は同一の構成である。
【００９３】
この構成は、同期信号が安定に基準信号発生回路７１７に供給される場合に用いられ、図３の構成よりも回路規模が少なくて済むという長所がある。
【００９４】
（制御回路７１８）
制御回路７１８は、３つの役割を果たしている。
【００９５】
第１の役割は、画面表示信号、Ｈ基準信号及びＶ基準信号を第１走査制御回路７１６−１と第２走査制御回路７１６−２に供給する。また、選択した映像信号が第１水平走査回路７０９−１と第２水平走査回路７０９−２に供給されるよう第１ＳＷ回路７１４−１と第２ＳＷ回路７１４−２を制御する。
【００９６】
第２の役割は、第１レベル反転回路７１３−１、第２レベル反転回路７１３−２、第１コモン電圧発生回路７１０−１、第２コモン電圧発生回路７１０−２に制御信号を供給することにある。
【００９７】
これらは、第１映像信号処理回路７１２−１から供給される同期信号１、第２映像信号処理回路７１２−２から供給される同期信号２及び外部から供給される画面表示制御信号に基づいて制御される。
【００９８】
第１の役割について、もう少し詳しく説明する。この役割において、制御回路７１８は、画像表示制御信号に基いて、４種類の動作を行う。そして、第１動作と第２動作とが１画面表示の場合の制御であり、第３動作と第４動作とが２画面表示の場合の制御である。なお、この表示方法については、後から詳しく説明する。
【００９９】
（１）第１の動作
第１走査制御回路７１６−１、第２走査制御回路７１６−２に映像信号１の画面表示信号、Ｈ基準信号及びＶ基準信号を供給する。
【０１００】
映像信号１が、第１水平走査回路７０９−１と第２水平走査回路７０９−２の両方に供給されるように第１ＳＷ回路７１４−１と第２ＳＷ回路７１４−２を制御する。
【０１０１】
（２）第２の動作
第１走査制御回路７１６−１、第２走査制御回路７１６−２に映像信号２の画面表示信号、Ｈ基準信号及びＶ基準信号を供給する。
【０１０２】
映像信号２が、第１水平走査回路７０９−１と第２水平走査回路７０９−２の両方に供給されるように第１ＳＷ回路７１４−１と第２ＳＷ回路７１４−２を制御する。
【０１０３】
（３）第３の動作
第１走査制御回路７１６−１に映像信号１の画面表示信号、Ｈ基準信号及びＶ基準信号を供給する。
【０１０４】
第２走査制御回路７１６−２に映像信号２の画面表示信号、Ｈ基準信号及びＶ基準信号を供給する。
【０１０５】
映像信号１が第１水平走査回路７０９−１に供給されるように、映像信号２が第２水平走査回路７０９−２に供給されるように第１ＳＷ回路７１４−１と第２ＳＷ回路７１４−２を制御する。
【０１０６】
（４）第４の動作
第１走査制御回路７１６−１に映像信号２の画面表示信号、Ｈ基準信号及びＶ基準信号を供給する。
【０１０７】
第２走査制御回路７１６−２に映像信号１の画面表示信号、Ｈ基準信号及びＶ基準信号を供給する。
【０１０８】
映像信号２が第１水平走査回路７０９−１に供給されるように、映像信号１が第２水平走査回路７０９−２に供給されるように第１ＳＷ回路７１４−１と第２ＳＷ回路７１４−２を制御する。
【０１０９】
３．１画面表示の説明
図５は１画面表示における表示形態を示す図である。この１画面表示についての説明を以下に記す。
【０１１０】
１画面表示をする場合は、第１映像信号処理回路７１２−１、または、第２映像信号処理回路７１２−２に入力した２つの映像信号の内、１つの映像信号を選択して、その映像信号から再生される画面のみを表示するものである。
【０１１１】
画面表示制御回路７１５は、前記した第１の動作、または、第２の動作を行う場合である。
【０１１２】
すなわち、画面表示制御回路７１５は、第１映像信号処理回路７１２−１から供給される同期信号１から発生した第１のＨ基準信号と第１のＶ基準信号と、第２映像信号処理回路７１２−２から供給される同期信号２から発生した第２のＨ基準信号と第２のＶ基準信号のいずれか一方を、端子１００から供給される画面表示制御信号に基づいて選択して、同一のＨ基準信号とＶ基準信号を第１走査制御回路７１６−１と第２走査制御回路７１６−２に供給する。また、選択した映像信号が第１水平走査回路７０９−１と第２水平走査回路７０９−２に供給されるように第１ＳＷ回路７１４−１と第２ＳＷ回路７１４−２を制御する。
【０１１３】
第１走査制御回路７１６−１は、画面表示制御回路７１５を介して供給される画面表示信号と、Ｈ基準信号、Ｖ基準信号に基づいて、水平走査開始信号（ＳＴＨ１）、水平走査クロック信号（ＣＰＨ１）、表示画素への書き込み信号（ＣＸ１）を発生し、第１水平走査回路７０９−１に供給すると共に、垂直走査クロック信号（ＣＰＶ１）、垂直走査開始信号（ＳＴＶ１）及び垂直走査禁止信号（ＧＯＥ１１〜１３）を発生し、第１垂直走査回路７０８−１に供給する。
【０１１４】
第２走査制御回路７１６−２は、画面表示制御回路７１５を介して供給される画面表示信号と、Ｈ基準信号、Ｖ基準信号に基づいて、水平走査開始信号（ＳＴＨ２）、水平走査クロック信号（ＣＰＨ２）、表示画素への書き込み信号（ＣＸ２）を発生し、第２水平走査回路７０９−２に供給すると共に、垂直走査クロック信号（ＣＰＶ２）、垂直走査開始信号（ＳＴＶ２）及び垂直走査禁止信号（ＧＯＥ２１〜２３）を発生し、第２垂直走査回路７０８−２に供給する。
【０１１５】
（第１の表示例）
図５（ａ）はアスペクト比３：４の映像信号をアスペクト比９：１６の表示パネルにそのまま表示する形態を示した図であり、表示される画像は図に示すように丸が横長の楕円表示になるように表示される。
【０１１６】
この表示において、第１走査制御回路７１６−１と第２走査制御回路７１６−２のいずれか一方の発生する水平走査開始信号（ＳＴＨ１）或いは水平走査開始信号（ＳＴＨ２）は、表示パネルの略中央で分割された走査信号線７０４により２分割された複数の画素電極７０２へ供給される映像信号が、その分割された画素電極間のサンプリング周期が一定になるように発生される。
【０１１７】
また、第１走査制御回路７１６−１と第２走査制御回路７１６−２の発生する水平走査クロック信号（ＣＰＨ１）或いは水平走査クロック信号（ＣＰＨ２）は、同一の信号波形或いは水平走査回路がサンプリングする期間外はその波形が変化しないようにしてサンプリングを禁止する波形として発生される。
【０１１８】
さらに、表示画素への書き込み信号（ＣＸ１）或いは表示画素への書き込み信号（ＣＸ２）は前記水平走査クロック信号（ＣＰＨ１）或いは水平走査クロック信号（ＣＰＨ２）が同一の信号の場合、第１水平走査回路７０９−１と第２走査制御回路７０９−２が映像信号をサンプルホールドし終わり、前記サンプルホールドした回路が次に映像信号をサンプルホールドし始める期間内の同一或いは異なるタイミングの信号として発生される。また、前記水平走査クロック信号（ＣＰＨ１）と水平走査クロック信号（ＣＰＨ２）が互いに映像信号をサンプリングする期間外はその波形が変化しないようにしてサンプリングを禁止する波形として発生される場合は、映像信号をサンプルホールドし終わり、前記サンプルホールドした回路が次に映像信号をサンプルホールドし始める期間内のタイミングの信号として発生される。
【０１１９】
（第２の表示例）
図５（ｂ）〜（ｄ）において、端子１０１或いは端子１０２を介して供給される映像信号１或いは映像信号２は、予め、映像信号と残領域の表示タイミングに残領域信号を合成した信号として供給される。
【０１２０】
図５（ｂ）は、例えば、第１水平走査回路７０９−１が画面の左側、第２水平走査回路７０９−２が画面の右側の映像を表示する場合である。
【０１２１】
第１水平走査回路７０９−１は、残領域信号をサンプリングした後、映像信号の表示期間（Ｔ）の前半のＴ１期間をサンプリングする。第２水平走査回路７０９−２は残りの後半Ｔ２＝Ｔ−Ｔ１期間をサンプリングした後、残領域信号をサンプリングする。
【０１２２】
（第３の表示例）
図５（ｃ）は、例えば、第１水平走査回路７０９−１が画面の左側、第２水平走査回路７０９−２が画面の右側の映像を表示する場合である。
【０１２３】
第１水平走査回路７０９−１は、映像信号の表示期間（Ｔ）の前半のＴ１と略等しい２Ｔ／３期間をサンプリングする。第２水平走査回路７０９−２は、残りの後半Ｔ２＝Ｔ−Ｔ１期間をサンプリングした後、残領域信号をサンプリングする。
【０１２４】
（第４の表示例）
図５（ｄ）は、例えば、第１水平走査回路７０９−１が画面の左側、第２水平走査回路７０９−２が画面の右側の映像を表示する場合である。
【０１２５】
第１水平走査回路７０９−１は、残領域信号をサンプリングした後映像信号の表示期間（Ｔ）の前半のＴ１と略等しい２Ｔ／３期間をサンプリングする。第２水平走査回路７０９−２は、残りの後半Ｔ２＝Ｔ−Ｔ１期間をサンプリングする。
【０１２６】
（第５の表示例）
図５（ｅ）の表示形態において、図５（ａ）の構成と異なるのは、第１走査制御回路７１６−１と第２走査制御回路７１６−２からそれぞれ第１垂直走査回路７０８−１と第２垂直走査回路７０８−２に供給される垂直走査クロック信号（ＣＰＶ１）、垂直走査開始信号（ＳＴＶ１）及び垂直走査禁止信号（ＧＯＥ１１〜１３）と垂直走査クロック信号（ＣＰＶ２）、垂直走査開始信号（ＳＴＶ２）及び垂直走査禁止信号（ＧＯＥ２１〜２３）により、３ラインのうち１回だけ２ライン同時走査を行い、垂直方向に４／３倍に画像を伸長して表示するよう動作することである。したがって表示される画像は図に示すように３：４のアスペクト比の映像信号の上下合わせて０．７５：４だけ欠落した画像が９：１６のアスペクト比の液晶パネル７０１に表示される。
【０１２７】
４．２画面表示の説明
図６はアスペクト比９：１６の表示パネルをアスペクト比９：８の２つの領域に分割し、それぞれの領域にアスペクト比３：４からなる映像信号を表示する場合の表示形態を示した図である。
【０１２８】
図６（ａ）〜（ｃ）は、第１走査制御回路７１６−１と第２走査制御回路７１６−２が同一の走査制御を行う場合の表示形態を示したものである。
【０１２９】
入力する映像信号１，２は、互いに非同期の信号である場合である。また、入力する映像信号１，２は、ＰＡＬ方式のＴＶ信号とＮＴＳＣ方式のＴＶ信号などの仕様の異なる信号であってもよい。
【０１３０】
画面表示制御回路７１５は、前記した第３の動作、または、第４の動作を行う場合である。
【０１３１】
（第１の表示例）
図６（ａ）は、例えば、第１水平走査回路７０９−１が画面の左側に映像信号１を、第２水平走査回路７０９−２が画面の右側に映像信号２を表示する場合には、水平方向の画素数の半分ずつをそれぞれの映像信号の有効表示期間にサンプリングすることにより、図に示すような丸が縦長の楕円表示で表示される。
【０１３２】
そして、この場合に、映像信号１と映像信号２とが、非同期であっても特別な信号処理をすることなしに、１つの表示装置に２つの画面を表示することができる。また、映像信号１，２が、ＰＡＬ方式のＴＶ信号とＮＴＳＣ方式のＴＶ信号などの仕様の異なる信号であっても同様である。これは、液晶パネル７０１の各画素電極７０２がそれぞれ電気的に独立であるためにできる表示方法であり、ブラウン管の表示装置では、到底実現できない表示方法である。なお、次に説明する第２、３の表示方法及びその他の表示方法も同様である。
（第２の表示例）
図６（ｂ）は、図６（ａ）のサンプリング周波数をｆとした場合、３ｆ／２の周波数でサンプリングした場合の表示形態を示したもので、元来９：１２のアスペクト比で表示される映像のうち左右合わせて９：４のアスペクト比の画像が欠落した画像が、左右それぞれの領域に表示される。
【０１３３】
（第３の表示例）
図６（ｃ）の表示形態において、図６（ａ）の構成と異なるのは、第１走査制御回路７１６−１と第２走査制御回路７１６−２からそれぞれ第１垂直走査回路７０８−１と第２垂直走査回路７０８−２に供給される垂直走査クロック信号（ＣＰＶ１）、垂直走査開始信号（ＳＴＶ１）及び垂直走査禁止信号（ＧＯＥ１１〜１３）と垂直走査クロック信号（ＣＰＶ２）、垂直走査開始信号（ＳＴＶ２）及び垂直走査禁止信号（ＧＯＥ２１〜２３）により、３ラインのうち１ラインを間引く間引き走査を行い、垂直方向に２／３倍に画像を圧縮して表示するよう動作することである。さらに前記映像信号のサンプリング期間外に合成された残領域信号をサンプリングすることで図に示す例のような残領域表示部を液晶パネル７０１に表示する。
【０１３４】
（その他の表示例）
図６（ｄ）〜（ｉ）は、第１走査制御回路７１６−１と第２走査制御回路７１６−２が互いに異なる走査制御を行う場合の表示形態を示したものであり、第１走査制御回路７１６−１と第２走査制御回路７１６−２のそれぞれの動作は図６（ａ）〜（ｃ）の場合と同一であるので動作を省略する。
【０１３５】
５．画像表示装置の全体構成の第２の実施例
図７は、本発明の第２の実施例に係わる画像表示装置を示す図である。
【０１３６】
図７において、図１の構成と同一のものには同符号を付している。
【０１３７】
コモン電圧発生回路７１０はコモン電圧（ＶＣＯＭ）を発生して第１対向電極と第２対向電極に供給する。また、このコモン電圧（ＶＣＯＭ）は第１レベル反転回路７１３−１と第２レベル反転回路７１３−２にも供給される。
【０１３８】
第１レベル反転回路７１３−１は、駆動信号発生回路７１１からの極性反転信号（ＰＯＬ）の制御により、第１映像信号処理回路７１２−１から供給される映像信号をコモン電圧（ＶＣＯＭ）を基準電圧とし、この基準電圧に対してレベル反転して第１ＳＷ回路７１４−１に出力する。
【０１３９】
第２レベル反転回路７１３−２も、駆動信号発生回路７１１からの極性反転信号（ＰＯＬ）の制御により、第２映像信号処理回路７１２−２から供給される映像信号をコモン電圧（ＶＣＯＭ）を基準電圧とし、この基準電圧に対してレベル反転して第２ＳＷ回路７１４−２に出力する。
【０１４０】
これにより、液晶印加電圧の極性が周期的に反転される。
【０１４１】
この構成では図１とは異なり、データ信号線に供給する映像信号のダイナミックレンジは増大するが対向電極は分離しなくてもよい。
【０１４２】
他の構成は図１の構成と同一のため説明を省略する。
【０１４３】
６．画像表示装置の全体構成の第３の実施例
図８は、本発明の第３の実施例に係わる画像表示装置を示す図である。
【０１４４】
図８において、図１の構成と同一のものには同符合を付している。
【０１４５】
図８において図１の構成と異なる点を説明する。
【０１４６】
端子１０１と端子１０２に供給される映像信号１と映像信号２はそれぞれ第１ＳＷ回路７１４−１と第２ＳＷ回路７１４−２に供給される。
【０１４７】
第１ＳＷ回路７１４−１と第２ＳＷ回路７１４−２は、前記映像信号のいずれかを、駆動信号発生回路７１１から供給される制御信号により選択し、それぞれ第１映像信号処理回路７１２−１と第２映像信号処理回路７１２−２に出力する。
【０１４８】
第１映像信号処理回路７１２−１は、第１ＳＷ回路７１４−１を介して供給された映像信号を、３原色信号Ｒ１，Ｇ１，Ｂ１に復調した後、ガンマ処理を行って第１レベル反転回路７１３−１に供給すると共に、映像信号１の同期信号を駆動信号発生回路７１１に供給する。
【０１４９】
第１レベル反転回路７１３−１は、駆動信号発生回路７１１から供給される極性反転信号１（ＰＯＬ１）の制御により、第１映像信号処理回路７１２−１から供給される映像信号をコモン電圧１（ＶＣＯＭ１）のレベル反転に同期して、逆位相で基準電圧に対してレベル反転して第１水平走査回路７０９−１に供給する。
【０１５０】
第２映像信号処理回路７１２−２は、第２ＳＷ回路７１４−２を介して供給された映像信号を、３原色信号Ｒ２，Ｇ２，Ｂ２に復調した後、ガンマ処理を行って第２レベル反転回路７１３−２に供給すると共に、映像信号２の同期信号を駆動信号発生回路７１１に供給する。
【０１５１】
第２レベル反転回路７１３−２は、駆動信号発生回路７１１から供給される極性反転信号２（ＰＯＬ２）の制御により、第２映像信号処理回路７１２−２から供給される映像信号をコモン電圧２（ＶＣＯＭ２）のレベル反転に同期して、逆位相で基準電圧に対してレベル反転して第２水平走査回路７０９−２に供給する。
【０１５２】
他の構成は図１の構成と同一のため説明を省略する。
【０１５３】
７．本実施例の変更例
上記実施例では、入力する非同期信号が２つの場合について説明したが、これに限らず、走査線制御回路等を４つ準備すれば４つの信号に対応でき、画面表示が４つに分割できる。さらに、走査線制御回路等を複数準備すれば、それに対応して非同期で入力する信号の数を増加させることができる。
【０１５４】
８．本実施例の適用例
以上説明したように、本実施例によれば、２画面表示の画像表示装置を安価に提供することができる。
【０１５５】
すなわち、２画面表示において表示パネルの左右に表示する映像信号のいずれか一方の信号が不安定な信号であっても他方の表示には影響されないため、従来のように、主信号となる一方の映像信号が安定した信号でないと画像が安定して表示されないという構成が必要でないために、２画面表示の画像表示装置を安価に提供することができる。
【０１５６】
したがって、カー・ナビゲーション・システム等では車内に設置しているカー・ナビゲーション・システムで発生される地図情報等の信号を常に用いることなく、受信できる２系統の信号を表示することが可能となった。
【０１５７】
また、放送方式の異なる２つの映像信号を同じに表示する安価な画像表示信号を提供することができる。例えば、欧州等のＰＡＬ方式のＴＶ信号が受信できる地域では、走査線変換等の信号処理回路を用いずに、ＮＴＳＣ方式で再生されるカー・ナビゲーション・システムの地図情報等の信号とＴＶ放送を同時に表示することができる。
【０１５８】
そして、本実施例のその他の適用例としては、ＴＶ等の大画面表示の平面表示装置に適用した場合である。
【０１５９】
すなわち、一画面で表示する場合は、その大画面を使用して図５に説明した表示が可能である。一方、２画面で表示する場合には、例えば、異なる同期の取れていないチャンネルのＴＶ信号を、容易に表示することができる。また、大画面で、かつ、表示画素の多い平面表示装置であれば、２画面に限らず４画面、それ以上の複数画面を表示してもよい。
【０１６０】
図１６は、本発明に係わる画像表示方法の一実施例を示すブロック図である。
【０１６１】
駆動信号発生回路７１１は水平走査回路１７０９−１と垂直走査回路１７０８−１による駆動走査を制御する走査制御回路１７１６−１と水平走査回路２７０９−２と垂直走査回路２７０８−２による駆動走査を制御する走査制御回路２７１６−２と映像信号１と映像信号２の同期信号からそれぞれ得られた基準信号を選択し走査制御回路１７１６−１、走査制御回路２７１６−２に供給する画面表示制御回路７１５から構成される。
【０１６２】
映像信号処理回路１７１２−１は端子１０１を介して入力された映像信号１を、３原色信号Ｒ１，Ｇ１，Ｂ１に復調した後、ガンマ処理を行ってＳＷ回路１７１４−１とＳＷ回路２７１４−２に供給すると共に、映像信号１の同期信号を駆動信号発生回路７１１の画面表示制御回路７１５に供給する。
【０１６３】
映像信号処理回路２７１２−２は端子１０２を介して入力された映像信号２を、３原色信号Ｒ２，Ｇ２，Ｂ２に復調した後、ガンマ処理を行ってＳＷ回路１７１４−１とＳＷ回路２７１４−２に供給すると共に、映像信号２の同期信号を駆動信号発生回路７１１の画面表示制御回路７１５に供給する。ＳＷ回路１７１４−１とＳＷ回路２７１４−２は画面表示制御回路７１５からそれぞれ供給される選択信号１と選択信号２に基づき、映像信号処理回路１７１２−１と映像信号処理回路２７１２−２から供給される映像信号のいずれかを選択してレベル反転回路１７１３−１とレベル反転回路２７１３−２にそれぞれ出力する。
【０１６４】
レベル反転回路１７１３−１は画面表示制御回路７１５から供給される極性反転信号１の制御により、ＳＷ回路１７１４−１から供給される映像信号をコモン電圧１（ＶＣＯＭ１）のレベル反転に同期して、逆位相で基準電圧に対してレベル反転して水平走査回路１７０９−１に供給する。
【０１６５】
レベル反転回路２７１３−２は画面表示制御回路７１５から供給される極性反転信号２の制御により、ＳＷ回路２７１４−２から供給される映像信号をコモン電圧２（ＶＣＯＭ２）のレベル反転に同期して、逆位相で基準電圧に対してレベル反転して水平走査回路２７０９−２に供給する。コモン電圧発生回路１７１０−１は画面表示制御回路７１５から供給される極性反転信号の制御により各水平走査期間及び垂直走査期間毎に基準電位に対してレベル反転されるコモン電圧１（ＶＣＯＭ１）を発生し、対向電極１に供給する。
【０１６６】
コモン電圧発生回路２７１０−２は画面表示制御回路７１５から供給される極性反転信号２の制御により各水平走査期間及び垂直走査期間毎に基準電位に対してレベル反転されるコモン電圧２（ＶＣＯＭ２）を発生し、対向電極２に供給する。画面表示制御回路７１５は映像信号処理回路１７１２−１から供給される同期信号１から第１のクロック信号、第１の基準Ｈ信号及び第１の基準Ｖ信号を発生し、映像信号処理回路２７１２−２から供給される同期信号２から第２のクロック信号、第２の基準Ｈ信号及び第２の基準Ｖ信号を発生する。
【０１６７】
そして、端子１００から供給される画面表示制御信号に基づいて、同一或いは異なるクロック信号、基準Ｈ信号及び基準Ｖ信号を選択して走査制御回路１７１６−１と走査制御回路２７１６−２にそれぞれ基準信号１、基準信号２として供給する。また、画面表示制御回路７１５は端子１００から供給される画面表示制御信号に基づく画面表示制御信号を発生し、走査制御回路１７１６−１と走査制御回路２７１６−２にそれぞれ表示制御信号１、表示制御信号２として供給する。走査制御回路１７１６−１は前記表示制御信号１と、基準信号１に基づき、水平走査開始信号（ＳＴＨ１）、水平走査クロック信号（ＣＰＨ１）、表示画素への書き込み信号（ＣＸ１）を発生し、水平走査回路１７０９−１に供給すると共に、垂直走査クロック信号（ＶＣＫ１）、垂直走査開始信号（ＳＴＶ１）及び垂直走査禁止信号（ＧＯＥ１１〜１３）を発生し、垂直走査回路１７０８−１に供給する。走査制御回路２７１６−２は前記表示制御信号２と、基準信号２に基づき、水平走査開始信号（ＳＴＨ２）、水平走査クロック信号（ＣＰＨ２）、表示画素への書き込み信号（ＣＸ２）を発生し、水平走査回路２７０９−２に供給すると共に、垂直走査クロック信号（ＶＣＫ２）、垂直走査開始信号（ＳＴＶ２）及び垂直走査禁止信号（ＧＯＥ２１〜２３）を発生し、垂直走査回路２７０８−２に供給する。
【０１６８】
垂直走査回路１７０８−１と垂直走査回路２７０８−２は表示パネル７０１のほぼ中央で分割された走査信号線７０４のそれぞれに走査信号を供給する駆動動作を行う。この垂直走査回路１７０８−１と垂直走査回路２７０８−２は複数の走査信号線７０４に対応し、それぞれ垂直走査開始信号１，２（ＳＴＶ１，２）を伝送するために直列に接続される複数のフリップフロップで構成されるシフトレジスタ回路を有する。このシフトレジスタ回路は垂直走査クロック信号１，２（ＣＰＶ１，２）に応答して垂直走査開始信号１，２（ＳＴＶ１，２）のシフト動作を行い、垂直走査開始信号１，２（ＳＴＶ１，２）をラッチしたフリップフロップに対応する走査信号線７０４に走査信号を出力する。また、前記走査信号は垂直走査禁止信号（ＧＯＥ１１〜１３，ＧＯＥ２１〜ＧＯＥ２３）により走査信号線７０４に出力する期間を制限される。
【０１６９】
水平走査回路１７０９−１と水平走査回路２７０９−２はそれぞれレベル反転された映像信号１，２をデータ信号として順次サンプルホールドし、表示パネル７０１のほぼ中央で分割された走査信号線７０４により２分割された複数の画素電極７０２へそれぞれ映像信号を供給するよう、データ信号に応じて複数のデータ信号線７０５を駆動する駆動動作を行う。
【０１７０】
この水平走査回路１７０９−１と水平走査回路２７０９−２はそれぞれ水平走査開始信号１，２（ＳＴＨ１，２）を伝送するために直列に接続される複数のフリップフロップで構成される少なくとも１個のシフトレジスタを有する。各シフトレジスタは水平走査クロック信号１，２（ＣＰＨ１，２）に応答して水平走査開始信号１，２（ＳＴＨ１，２）のシフト動作を行ない、各フリップフロップが水平走査開始信号１，２（ＳＴＨ１，２）を出力するタイミングで映像信号をサンプルホールドし、このフリップフロップに対応するデータ信号線７０５にデータ信号として供給する。
【０１７１】
図１７は画面表示制御回路７１５の一構成例を示す図であり、図１８は基準信号発生回路７１７の一構成例を示す図である。
【０１７２】
画面表示制御回路１７１５は、制御回路７１８と図１８のＰＬＬ回路７１９，Ｖ同期検出回路７２４，Ｖカウンタ７２５、基準Ｈ信号発生回路７２６、基準Ｖ信号発生回路７２７により構成された基準信号発生回路１７１７−１と基準信号発生回路２７１７−２により構成される。
【０１７３】
ＰＬＬ回路７１９はループフィルタ７２０、電圧制御発振器（ＶＣＯ）７２１位相比較回路７２２，Ｈカウンタ７２３で構成される。ＰＬＬ回路７１９では、位相比較回路７２２が映像信号処理回路７１２から供給される同期信号の水平同期信号とＨカウンタ７２３から供給される基準水平信号との位相差を検出し、この位相差に応じた誤差信号を発生する。
【０１７４】
ループフィルタ７２０は位相比較回路７２２から得られる誤差信号から高周波成分や雑音を取り除いた信号電圧を発生する。ＶＣＯ７２１は前記信号電圧に基づいてクロック信号を発生し、このクロック信号をＨカウンタ７２３と、制御回路７１８と、必要に応じてＶ同期検出回路７２４，Ｖカウンタ７２５、基準Ｈ信号発生回路７２６及び基準Ｖ信号発生回路７２７等に供給する。Ｈカウンタ７２３は１行分の画素数をカウントし、この画素数に対応してクロック信号を分周し、基準水平信号として位相比較回路７２２に供給する。
【０１７５】
またＨカウンタ７２３は、各回路ブロックが必要とする位相の異なる周波数ｆＨ１の第２の基準水平信号や周波数ｎ×ｆＨの第３の基準水平信号をＶカウンタ７２５と基準Ｈ信号発生回路７２６及び基準Ｖ信号発生回路７２７に供給する。基準Ｈ信号発生回路は前記基準信号に基づいて、各種水平駆動制御信号を発生するための基準となる基準Ｈ信号を発生し、制御回路７１８に供給する。Ｖ同期検出回路７２４は映像信号処理回路７１２から供給される同期信号から垂直同期信号を検出し、Ｖカウンタ７２５に供給する。
【０１７６】
Ｖカウンタ７２５は、例えば自走周期がＮＴＳＣ方式の場合にはフィールド周期の５２５Ｈ／２となる機能を持つカウンタで構成される。このＶカウンタ７２５には、前記Ｈカウンタ７２３から２×ｆＨの基準水平信号が供給され、前記Ｖ同期検出回路７２４から垂直同期信号が供給されない場合は自己リセットをして５２５Ｈ／２の周期で自走するよう動作し、垂直同期信号が供給される場合は垂直同期信号と基準水平信号に基づいて位相を引き込むよう値がリセットされるよう動作する。
【０１７７】
またＶカウンタは垂直同期信号に同期した基準垂直信号を基準Ｖ信号発生回路７２７に供給する。基準Ｖ信号発生回路７２７は前記基準垂直信号に基づいて、各種垂直駆動制御信号を発生するための基準となる基準Ｖ信号を発生し、制御回路７１８に供給する。つまり、この図１８の構成による基準信号発生回路７１７はＶ同期検出回路７２４で垂直同期信号が検出できないような同期信号が入力された場合にも、安定に基準Ｖ信号を制御回路７１８に供給できる。この実施例では、基準Ｈ信号発生回路７２６と基準Ｖ信号発生回路７２７で基準Ｈ信号と基準Ｖ信号を、それぞれ供給される基準水平信号と基準垂直信号から発生しているが、前記基準Ｈ信号発生回路７２６と基準Ｖ信号発生回路７２７を用いずに、前記基準水平信号と基準垂直信号を制御回路７１８を介し、走査制御回路１７１６−１と走査制御回路２７１６−２に直接供給する構成にしても良い。
【０１７８】
図１９は制御回路７１８の一構成例を示す図である。制御回路７１８はＰＯＬ１信号発生回路８０１−１，ＰＯＬ２信号発生回路８０１−２，ＳＷ回路３８０２−１，ＳＷ回路４８０２−２、信号選択回路１８０３−１、信号選択回路２８０３−２、デコード回路８０４、制御信号取得回路１８０５−１、制御信号取得回路２８０５−２、画面切換制御回路８０６から構成される。ＰＯＬ１信号発生回路８０１−１は基準信号発生回路１７１７−１から供給される信号のうち少なくとも基準Ｈ信号と基準Ｖ信号に基づいて極性反転信号ＰＯＬ１を発生し、ＳＷ回路３８０２−１とＳＷ回路４８０２−２に供給する。
【０１７９】
ＰＯＬ２信号発生回路８０１−２は基準信号発生回路２７１７−２から供給される信号のうち少なくとも基準Ｈ信号と基準Ｖ信号に基づいて極性反転信号ＰＯＬ２を発生し、ＳＷ回路３８０２−１とＳＷ回路４８０２−２に供給する。ＳＷ回路３８０２−１は極性反転信号ＰＯＬ１，ＰＯＬ２のいずれかを画面切換制御回路８０６から供給される選択信号１に基づいて選択し、極性反転信号１としてコモン電圧発生回路１７１０−１、レベル反転回路１７１３−１に供給する。ＳＷ回路４８０２−２は極性反転信号ＰＯＬ１，ＰＯＬ２のいずれかを画面切換制御回路８０６から供給される選択信号２に基づいて選択し、極性反転信号２としてコモン電圧発生回路２７１０−２、レベル反転回路２７１３−２に供給する。信号選択回路１８０３−１は画面切換制御回路８０６から供給される選択信号１に基づいて選択した基準信号発生回路１７１７−１と基準信号発生回路２７１７−２の一方から供給されるクロック信号、基準Ｈ信号及び基準Ｖ信号を基準信号１として走査制御回路１７１６−１に供給する。
【０１８０】
信号選択回路２８０３−２は画面切換制御回路８０６から供給される選択信号２に基づいて選択した基準信号発生回路１７１７−１と基準信号発生回路２７１７−２の一方から供給される
クロック信号、基準Ｈ信号及び基準Ｖ信号を基準信号２として走査制御回路２７１６−２に供給する。デコード回路８０４は制御信号取得回路１８０５−１を介して走査制御回路１７１６−１に供給する表示制御信号１と、制御信号取得回路２８０５−２を介して走査制御回路２７１６−２に供給する表示制御信号２を端子１００から供給される画面表示制御信号から得て、それぞれの信号を制御信号取得回路１８０５−１と制御信号取得回路２８０５−２にモード信号として供給する。
【０１８１】
また、選択信号１と選択信号２のもととなる切り換え情報である制御信号１と制御信号２を端子１００から供給される画面表示制御信号から得て、画面切換制御回路８０６に供給する。
【０１８２】
図２０は画面切換制御回路８０６の具体的構成例を示す図である。画面切換制御回路８０６は、選択信号発生回路８０７、１／２画面信号発生回路８０８、サンプリング制御回路８０９から構成される。
【０１８３】
基準信号発生回路１７１７−１で発生された第１の基準Ｖ信号のうち映像信号１の表示パネルヘの表示が終了するタイミングを示す映像終了信号１と、基準信号発生回路２７１７−２で発生された第２の基準Ｖ信号のうち映像信号２の表示パネルヘの表示が終了するタイミングを示す映像終了信号２は、選択信号発生回路８０７−１／２画面信号発生回路８０８、サンプリング制御回路８０９に供給される。
【０１８４】
また、デコード回路８０４で発生された制御信号１、制御信号２は、選択信号発生回路８０７、サンプリング制御回路８０９に供給される。選択信号発生回路８０７は制御信号１、制御信号２、映像終了信号１、映像終了信号２とに基づいて選択信号１と選択信号２を発生し、選択信号１を１／２画面信号発生回路８０８、サンプリング制御回路８０９，ＳＷ回路１７１４−１，ＳＷ回路３８０２−１、信号選択回路１８０３−１に供給し、また、選択信号２を１／２画面信号発生回路８０８、サンプリング制御回路８０９，ＳＷ回路２７１４−２，ＳＷ回路４８０２−２、信号選択回路２８０３−２に供給する。
【０１８５】
サンプリング制御回路は制御信号１，制御信号２、映像終了信号１、映像終了信号２、選択信号１、選択信号２に基づきサンプリング信号１とサンプリング信号２を発生し、それぞれの信号を制御信号取得回路１８０５−１と制御信号取得回路２８０５−２に供給する。１／２画面信号発生回路８０８は選択信号１、選択信号２、映像終了信号１、映像終了信号２に基づいて表示パネル７０１への１画面表示期間の制御信号である１／２画面信号を発生し、走査制御回路１７１６−１と走査制御回路２７１６−２に供給する。走査制御回路１７１６−１と走査制御回路２７１６−２は供給された１／２画面信号が１画面表示期間である場合に、水平走査クロック信号１，２（ＣＰＨ１，２）の周波数を２画面表示時の約１／２の周波数で発生し、更に水平走査回路１７０９−２と水平走査回路２７０９−２でそれぞれ走査された映像を合わせると１画面の画像となるように水平走査開始信号１，２（ＳＴＨ１，２）の位相をずらして発生する。
【０１８６】
制御信号取得回路１８０５−１は画面切換制御回路８０６から供給されるサンプリング信号１に基づいてデコード回路８０４から供給されるデコード信号をサンプリングし、表示制御信号１として走査制御回路１７１６−１に供給する。制御信号取得回路２８０５−２は画面切換制御回路８０６から供給されるサンプリング信号２に基づいてデコード回路８０４から供給されるデコード信号をサンプリングし、表示制御信号２として走査制御回路２７１６−２に供給する。
【０１８７】
図２１〜図２３は制御回路７１８の動作例を説明するためのタイミング図であり、この図を用いて本発明の動作を詳細に説明する。尚、説明を簡略にするために、２画面表示制御期間は制御信号１と制御信号２、選択信号１と選択信号２の極性を異なる信号とし、表示パネル７０１には映像信号１と映像信号２の異なる画像を表示する動作タイミングを表示している。
【０１８８】
また、実線に示した制御信号１と制御信号２の極性が反対の極性である場合の動作波形を点線の波形にて表示しているが、この動作は実線で示した動作から容易に理解できるので説明を省く。
【０１８９】
図において、映像開始信号１、映像終了信号１は映像信号１の映像期間を示す第１の基準Ｖ信号なる垂直タイミング信号であり、映像開始信号２、映像終了信号２は映像信号２の映像期間を示す第２の基準Ｖ信号なる垂直タイミング信号である。また、第１、第２の基準Ｈ信号、第１、第２のクロック信号については図示しないが、前記第１、第２の基準Ｖ信号に同期して発生される。
【０１９０】
制御回路７１８の画面切換制御回路８０６を構成する選択信号発生回路８０７は基準信号発生回路１７１７−１から供給される映像終了信号１により、制御信号１がＨレベルの場合には選択信号１を、制御信号２がＨレベルの場合には選択信号２をそれぞれＨレベルにセットし、また、基準信号発生回路２７１７−２から供給される映像終了信号２により制御信号１がＬレベルの場合には選択信号１を、制御信号２がＬレベルの場合には選択信号２をそれぞれＬレベルにセットする。
【０１９１】
ＳＷ回路１７１４−１は、選択信号１がＬレベルの場合にはレベル反転回路１７１３−１の出力信号を、Ｈレベルの場合にはレベル反転回路２７１３−２の出力信号をそれぞれ選択するよう動作し、ＳＷ回路２７１４−２は選択信号２がＬレベルの場合にはレベル反転回路２７１４−２の出力信号を、Ｈレベル場合にはレベル反転回路１７１４−１の出力信号をそれぞれ選択するよう動作する。
【０１９２】
また、ＳＷ回路３８０２−１は選択信号１がＬレベルの場合にはＰＯＬ１信号発生回路８０１−１の出力信号を、Ｈレベル場合にはＰＯＬ２信号発生回路８０１−２の出力信号をそれぞれ選択するよう動作し、ＳＷ回路４は選択信号２がＬレベルの場合にはＰＯＬ２信号発生回路８０１−２の出力信号を、Ｈレベル場合にはＰＯＬ１信号発生回路８０１−１の出力信号をそれぞれ選択するよう動作する。更に、信号選択回路１８０３−１は選択信号１がＬレベルの場合には映像開始信号１を、Ｈレベル場合には映像開始信号２をそれぞれ選択するよう動作し、信号選択回路２は選択信号２がＬレベルの場合には映像開始信号２を、Ｈレベル場合には映像開始信号１をそれぞれ選択するよう動作する。図２１は２画面表示から映像信号１による１画面表示への切り換え動作と、この１画面表示から２画面表示への切り換え動作を示すタイミング図であり、図２１（１）は映像終了信号１から映像終了信号までの間である期間ＢＣに、モード信号が２画面表示から映像信号１からなる１画面表示に切り換えられ、次なる期間ｂｃに１画面表示から２画面表示に切り換えられる場合の動作タイミング図である。また、図２１（２）は映像終了信号２から映像終了信号１までの間である期間ＡＢに、モード信号が２画面表示から映像信号１からなる１画面表示に切り換えられ、次なる期間ａｂに１画面表示から２画面表示に切り換えられる場合の動作タイミング図である。図２１（１）の選択信号１はＬレベルの制御信号１と時間Ｃ，Ｅ，ｃ，ｅの映像信号２によりＬレベルにセットされる。
【０１９３】
また、選択信号２はＨレベルの制御信号２と時間Ｂの映像終了信号２によりＨレベルにセットされた後、Ｌレベルの制御信号と時間Ｃ，Ｅ，ｃの映像終了信号２によりＬレベルにセットされ、更に、Ｈレベルの制御信号２と時間ｄの映像信号１によりＨレベルにセットされる。信号選択回路１８０３−１はＬレベルなる選択信号１に基づき映像開始信号１を基準信号１として走査制御回路１７１６−１に供給し、信号選択回路２はＨレベルなる選択信号２に基づき映像開始信号２を基準信号２として走査制御回路２７１６−２に供給するよう動作する。
【０１９４】
また、制御信号取得回路１８０５−１と制御信号取得回路２８０５−２はサンプリング制御回路８０９からそれぞれ供給されるサンプリング信号１とサンプリング信号２に基づいてデコード回路８０４から供給されるモード信号をサンプリングし、走査制御回路１７１６−１と走査制御回路２７１６−２にそれぞれ表示制御信号１と表示制御信号２として供給する。
【０１９５】
このサンプリング制御回路８０９で発生されるサンプリング信号は、選択信号１、選択信号２に基づいて、サンプリング信号１は全期間を通じて映像終了信号１と同一のタイミング、サンプリング信号２は期間Ｃｄでは映像終了信号１、それ以外の期間では映像終了信号２と同一のタイミングとなる。従って、走査制御回路１７１６−１は時間Ｄの映像終了信号１までは映像信号１の画像を２画面表示動作の一方として表示するよう動作し、また、期間Ｄ以降は時間Ｄのタイミングにより供給される表示制御信号１，１／２画面信号、基準信号１に基づいて映像信号１の画像を１画面表示するよう動作する。
【０１９６】
そして、時間ｄ以降では時間ｄのタイミングにより供給される表示制御信号１，１／２画面信号、基準信号１に基づいて映像信号１の画像を２画面表示動作の一方として表示するよう動作する。一方、走査制御回路２７１６−２は時間Ｃの映像終了信号２までの期間Ｔ２は映像信号２の画像を２画面表示動作の他方として表示をするよう動作し、時間Ｃの映像終了信号２の直後はＨレベルからＬレベルに切り換えられた選択信号２により走査を一時的に停止した状態となった後、、時間Ｄのタイミングにより供給される表示制御信号２，１／２画面信号、基準信号２に基づいて映像信号１の画像を１画面表示するよう動作する。
【０１９７】
時間ｄ以降では時間ｄの映像終了信号１の直後はＬレベルからＨレベルに切り換えられた選択信号２により走査を一時的に停止した状態となった後、時間ｅのタイミングにより供給される表示制御信号２，１／２画面信号、基準信号２に基づいて映像信号２の画像を２画面表示動作の他方として表示をするよう動作する。
【０１９８】
図２１（２）の選択信号１はＬレベルの制御信号１と時間Ｃ，ａ，ｃの映像信号２によりＬレベルにセットされる。また、選択信号２はＨレベルの制御信号と時間Ｂの映像終了信号２によりＨレベルにセットされた後、Ｌレベルの制御信号２と時間Ｃ，ａの映像終了信号２によりＬレベルにセットされ、更に、Ｈレベルの制御信号２と時間ｂの映像信号１によりＨレベルにセットされる。サンプリング制御回路８０９で発生されるサンプリング信号１は、制御信号１と制御信号２が共にＬレベルとなった直後の映像終了信号１がサンプリング信号１とならないよう禁止することにより、期間ＡＢを除いて映像終了信号１と同一のタイミングとなり、サンプリング信号２は期間Ｃｂでは映像終了信号１、それ以外の期間では映像終了信号２と同一のタイミングとなる。
【０１９９】
従って、走査制御回路１７１６−１は時間Ｄの映像終了信号１までは映像信号１の画像を２画面表示動作の一方として表示するよう動作し、また、期間Ｄ以降は時間Ｄのタイミングにより供給される表示制御信号１，１／２画面信号、基準信号１に基づいて映像信号１の画像を１画面表示するよう動作する。そして、時間ｂ以降では時間ｂのタイミングにより供給される表示制御信号１，１／２画面信号、基準信号１に基づいて映像信号１の画像を２画面表示動作の一方として表示するよう動作する。一方、走査制御回路２７１６−２は時間Ｃの映像終了信号２までの期間Ｔ２は映像信号２の画像を２画面表示動作の他方として表示をするよう動作し、時間Ｃの映像終了信号２の直後はＨレベルからＬレベルに切り換えられた選択信号２により走査を一時的に停止した状態となった後、時間Ｄのタイミングにより供給される表示制御信号２，１／２画面信号、基準信号２に基づいて映像信号１の画像を１画面表示するよう動作する。
【０２００】
時間ｂ以降では時間ｂの映像終了信号１の直後はＬレベルからＨレベルに切り換えられた選択信号２により走査を一時的に停止した状態となった後、時間Ｃのタイミングにより供給される表示制御信号２，１／２画面信号、基準信号２に基づいて映像信号２の画像を２画面表示動作の他方として表示をするよう動作する。
【０２０１】
図２２は２画面表示から映像信号１による１画面表示への切り換え動作と、この１画面表示から２画面表示への切り換え動作を示すタイミング図であり、図２２（１）は映像終了信号１から映像終了信号までの間である期間ＢＣに、モード信号が２画面表示から映像信号２からなる１画面表示に切り換えられ、次なる期間ｂｃに１画面表示から２画面表示に切り換えられる場合の動作タイミング図である。また、図２１（２）は映像終了信号２から映像終了信号１までの間である期間ＡＢに、モード信号が２画面表示から映像信号２からなる１画面表示に切り換えられ、次なる期間ａｂに１画面表示から２画面表示に切り換えられる場合の動作タイミング図である。
【０２０２】
図２２（１）の選択信号１はＨレベルの制御信号１と時間Ｄ，ｂの映像信号１によりＨレベルにセットされた後、Ｌレベルの制御信号１と時間Ｃ，ｅの映像終了信号２によりＬレベルにセットされる。また、選択信号２はＨレベルの制御信号２と時間Ｂ，Ｄ，ｂ，ｄの映像終了信号１によりＨレベルにセットされる。信号選択回路１８０３−１はＬレベルなる選択信号１に基づき映像開始信号１を基準信号１として走査制御回路１７１６−１に供給し、信号選択回路２はＨレベルなる選択信号２に基づき映像開始信号２を基準信号２として走査制御回路２７１６−２に供給するよう動作する。サンプリング制御回路８０９で発生されるサンプリング信号１は、期間Ｄｃでは映像終了信号２、それ以外の期間では映像終了信号１と同一のタイミングとなり、サンプリング信号２は制御信号１と制御信号２が共にＨレベルとなった直後の映像終了信号２がサンプリング信号２とならないよう禁止することにより、期間ＢＣを除いて映像終了信号２と同一のタイミングとなる。従って、走査制御回路１７１６−１は時間Ｄの映像終了信号１までの期間Ｔ１は映像信号１の画像を２画面表示動作の一方として表示をするよう動作し、時間Ｄの映像終了信号１の直後はＬレベルからＨレベルに切り換えられた選択信号１により走査を一時的に停止した状態となった後、時間Ｅのタイミングにより供給される表示制御信号１，１／２画面信号、基準信号１に基づいて映像信号２の画像を１画面表示するよう動作する。
【０２０３】
時間ｃ以降では時間ｃの映像終了信号２の直後はＨレベルからＬレベルに切り換えられた選択信号１により走査を一時的に停止した状態となった後、時間ｄのタイミングにより供給される表示制御信号１，１／２画面信号、基準信号１に基づいて映像信号１の画像を２画面表示動作の一方として表示をするよう動作する。一方、走査制御回路２７１６−２は時間Ｅの映像終了信号２までは映像信号２の画像を２画面表示動作の他方として表示するよう動作し、また、期間Ｅ以降は時間Ｅのタイミングにより供給される表示制御信号２，１／２画面信号、基準信号２に基づいて映像信号２の画像を１画面表示するよう動作する。そして、時間Ｅ以降では時間Ｅのタイミングにより供給される表示制御信号２，１／２画面信号、基準信号２に基づいて映像信号２の画像を２画面表示動作の他方として表示するよう動作する。
【０２０４】
図２２（２）の選択信号１はＨレベルの制御信号１と時間Ｂ，ｄ，ｂの映像信号１によりＨレベルにセットされた後、Ｌレベルの制御信号１と時間ｃの映像終了信号２によりＬレベルにセットされる。また、選択信号２はＨレベルの制御信号２と時間Ｂ，Ｄ，ｂ，ｄの映像終了信号２によりＨレベルにセットされる。サンプリング制御回路８０９で発生されるサンプリング信号１は、期間Ｂｃでは映像終了信号２、それ以外の期間では映像終了信号１と同一のタイミングとなり、サンプリング信号２は全期間で映像終了信号２と同一のタイミングとなる。
【０２０５】
従って、走査制御回路１７１６−１は時間Ｂの映像終了信号１までの期間Ｔ１は映像信号１の画像を２画面表示動作の一方として表示をするよう動作し、時間Ｂの映像終了信号１の直後はＬレベルからＨレベルに切り換えられた選択信号１により走査を一時的に停止した状態となった後、時間ｃのタイミングにより供給される表示制御信号１，１／２画面信号、基準信号１に基づいて映像信号２の画像を１画面表示するよう動作する。
【０２０６】
時間ｃ以降では時間ｃの映像終了信号２の直後はＨレベルからＬレベルに切り換えられた選択信号１により走査を一時的に停止した状態となった後、時間ｄのタイミングにより供給される表示制御信号１，１／２画面信号、基準信号１に基づいて映像信号１の画像を２画面表示動作の一方として表示をするよう動作する。一方、走査制御回路２７１６−２は時間Ｃの映像終了信号２までは映像信号２の画像を２画面表示動作の他方として表示するよう動作し、また、期間Ｃ以降は時間Ｃのタイミングにより供給される表示制御信号２，１／２画面信号、基準信号２に基づいて映像信号２の画像を１画面表示するよう動作する。
【０２０７】
そして、時間Ｅ以降では時間Ｅのタイミングにより供給される表示制御信号２，１／２画面信号、基準信号２に基づいて映像信号２の画像を２画面表示動作の他方として表示するよう動作する。
【０２０８】
図２３は２画面表示において左右の画像を入れ換える動作を示すタイミング図である。図２３（１）の選択信号１はＬレベルの制御信号１と映像信号２によりＬレベルにセットされた後、Ｈレベルの制御信号１と映像終了信号１によりＨレベルにセットされる。また、選択信号２はＨレベルの制御信号２と映像終了信号１によりＨレベルにセットされた後、Ｌレベルの制御信号２と映像終了信号２によりＬレベルにセットされる。サンプリング制御回路８０９で発生されるサンプリング信号１は、選択信号１がＬレベルの間は映像終了信号１、それ以外の期間では映像終了信号２と同一のタイミングとなり、サンプリング信号２は制御信号２がＨレベルの期間は映像終了信号２、それ以外の期間では映像終了信号１と同一のタイミングとなる。
【０２０９】
従って、走査制御回路１７１６−１は期間Ｔ１では映像信号１の画像を２画面表示動作の一方として表示をするよう動作し、選択信号１の変化により期間Ｔ４の走査を一時的に停止した状態となった後、期間Ｔ４に続く期間Ｔ２では映像終了信号２のタイミングにより供給される表示制御信号１と基準信号１に基づいて映像信号２の画像を２画面表示動作の一方として表示をするよう動作する。一方、走査制御回路２７１６−２は期間Ｔ２では映像信号２の画像を２画面表示動作の他方として表示をするよう動作し、選択信号２の変化により期間Ｔ３の走査を一時的に停止した状態となった後、期間Ｔ３に続く期間Ｔ１では映像終了信号１のタイミングにより供給される表示制御信号２と基準信号２に基づいて映像信号１の画像を２画面表示動作の他方として表示するよう動作する。
【０２１０】
図２３（２）の選択信号１はＬレベルの制御信号１と映像信号２によりＬレベルにセットされた後、Ｈレベルの制御信号１と映像終了信号１によりＨレベルにセットされる。
【０２１１】
また、選択信号２はＨレベルの制御信号２と映像終了信号１によりＨレベルにセットされた後、Ｌレベルの制御信号２と映像終了信号２によりＬレベルにセットされる。サンプリング制御回路８０９で発生されるサンプリング信号１は、選択信号１がＬレベルの間は映像終了信号１、それ以外の期間では映像終了信号２と同一のタイミングとなり、サンプリング信号２は制御信号２がＨレベルの期間は映像終了信号２、それ以外の期間では映像終了信号１と同一のタイミングとなる。
【０２１２】
従って、走査制御回路１７１６−１は期間Ｔ１では映像信号１の画像を２画面表示動作の一方として表示をするよう動作し、選択信号１の変化により期間Ｔ４の走査を一時的に停止した状態となった後、期間Ｔ４に続く期間Ｔ２では映像終了信号２のタイミングにより供給される表示制御信号１と基準信号１に基づいて映像信号２の画像を２画面表示動作の一方として表示をするよう動作する。
【０２１３】
一方、走査制御回路２７１６−２は期間Ｔ２では映像信号２の画像を２画面表示動作の他方として表示をするよう動作し、選択信号２の変化により期間Ｔ３の走査を一時的に停止した状態となった後、期間Ｔ３に続く期間Ｔ１では映像終了信号１のタイミングにより供給される表示制御信号２と基準信号２に基づいて映像信号１の画像を２画面表示動作の他方として表示するよう動作する。
【０２１４】
図２４は、本発明の画像表示装置の他の実施例を示すブロック図である。図２４において、図１の構成と同一のものには同符号を付して、その説明を省略する。映像信号処理回路１７１２−１は端子１０１を介して入力された映像信号１を、３原色信号Ｒ１，Ｇ１，Ｂ１に復調した後、ガンマ処理を行ってレベル反転回路１７１３−１に供給すると共に、映像信号１の同期信号を駆動信号発生回路７１１の画面表示制御回路７１５に供給する。映像信号処理回路２７１２−２は端子１０２を介して入力された映像信号２を、３原色信号Ｒ２，Ｇ２，Ｂ２に復調した後、ガンマ処理を行ってレベル反転回路２７１３−２に供給すると共に、映像信号１の同期信号を駆動信号発生回路７１１の画面表示制御回路７１５に供給する。
【０２１５】
レベル反転回路１７１３−１は画面表示制御回路７１５から供給される極性反転信号ＰＯＬ１の制御により、映像信号処理回路１７１２−１から供給される映像信号をコモン電圧１（ＶＣＯＭ１）のレベル反転に同期して、逆位相で基準電圧に対してレベル反転してＳＷ回路１７１４−１とＳＷ回路２７１４−２に供給する。レベル反転回路２７１３−２は画面表示制御回路７１５から供給される極性反転信号ＰＯＬ２の制御により、映像信号処理回路２７１２−２から供給される映像信号をコモン電圧２（ＶＣＯＭ２）のレベル反転に同期して、逆位相で基準電圧に対してレベル反転してＳＷ回路１７１４−１とＳＷ回路２７１４−２に供給する。
【０２１６】
ＳＷ回路１７１４−１とＳＷ回路２７１４−２は画面表示制御回路７１５からそれぞれ供給される選択信号１と選択信号２に基づき、レベル反転回路１７１３−１とレベル反転回路２７１３−２から供給される映像信号のいずれかを選択して水平走査回路１７０９−１と水平走査回路２７０９−２にそれぞれ出力する。画面表示制御回路７１５は図２に示すように、基準信号発生回路１７１７−１、基準信号発生回路２７１７−２及び制御回路７１８から構成される。
【０２１７】
図２５は図２４の画像表示装置の画面表示制御回路７１５を構成する制御回路７１８の構成例を示す図であり、図１９の構成と同一のものには同符号を付してある。図２５において図１９の構成と異なるのは、ＳＷ回路１７１４−１とＳＷ回路２７１４−２からそれぞれ出力される極性反転信号１、極性反転信号２ではなく、ＰＯＬ１信号発生回路８０１−１とＰＯＬ２信号発生回路８０１−２からそれぞれ出力される極性反転信号ＰＯＬ１、極性反転信号ＰＯＬ２がレベル反転回路１７１３−１とレベル反転回路２７１３−２にそれぞれ供給される構成となっていることであり、他は図１９と同一の構成であるので説明を省略する。
【０２１８】
以上説明したように、本発明によれば、１画面表示も可能であり、また、互いに非同期の複数の信号、仕様の異なる複数の信号が入力しても複数の画面表示が可能であり、その上この画像表示装置を安価に提供することができる。
【０２１９】
【発明の効果】
以上説明したように、本発明の画像表示装置によれば、表示パネルの左右に同期していない２系統の映像信号から得られる画像を表示する画像表示装置を安価に提供することが出来る。
【０２２０】
また、２画面表示において表示パネルの左右に表示する映像信号のいずれか一方の信号が不安定な信号であっても他方の表示には影響されないため、従来のように、主信号となる一方の映像信号が安定した信号でないと画像が安定して表示されないという課題がなくなった。
【０２２１】
従って、カー・ナビゲーション・システム等では車内に設置しているカー・ナビゲーション・システムで発生される地図情報等の信号を常に用いることなく、受信できる２系統の信号を表示することが可能となった。
【０２２２】
また、放送方式の異なる２つの映像信号を同時に表示する安価な画像表示装置を提供することができる。
【０２２３】
例えば、欧州等のＰＡＬ方式のＴＶ信号が受信できる地域では、走査線変換等の信号処理回路を用いずに、ＮＴＳＣ方式で再生されるカー・ナビゲーション・システムの地図情報等の信号とＴＶ放送を同時に表示することができる。
【０２２４】
更に、同期していない２系統の映像信号を表示パネルの左右に表示した状態から、いずれか一方の映像信号のみを表示するよう切り換える際に、表示パネルの左右のどちらかの画像が半分だけ表示されるという２系統の映像信号が同期していないことに起因する課題を解決することが出来る。
【図面の簡単な説明】
【図１】  本発明の第１の実施例に係わる画像表示装置の概略構成図である。
【図２】  図１の画像表示装置の画面表示制御回路の一構成例を示す図である。
【図３】  図２の基準信号発生回路の第１の構成例を示す図である。
【図４】  図２の基準信号発生回路の第２の構成例を示す図である。
【図５】  図１の画像表示装置の１画面表示における表示形態を示す図である。
【図６】  図１の画像表示装置の２画面表示における表示形態を示す図である。
【図７】  図１の画像表示装置の第２の実施例を示す図である。
【図８】  図１の画像表示装置の第３の実施例を示す図である。
【図９】  従来の一画像表示装置の概略構成図である。
【図１０】  図９の画像表示装置の入力処理回路の概略構成図である。
【図１１】  図９の画像表示装置のフレーム同期回路の概略構成図である。
【図１２】  図９の画像表示装置の液晶表示装置の概略構成図である。
【図１３】  図９の画像表示装置のデータ変換回路の概略構成図である。
【図１４】  図９の画像表示装置の一表示形態を示す図である。
【図１５】  図９の画像表示装置の２画面表示における表示形態を示す図である。
【図１６】  図１６は本発明の一実施例に係わる画像表示装置の概略構成図である。
【図１７】  図１７は図１６の画像表示装置の画面表示制御回路の一構成例を示す図である。
【図１８】  図１８は図１７の基準信号発生回路の一構成例を示す図である。
【図１９】  図１９は図１７の制御回路の一構成例を示す図である。
【図２０】  図２０は図１９の画面切換制御回路の一構成例を示す図である。
【図２１】  図２１は図１９の制御回路の２画面表示から映像信号１による１画面表示への切り換え動作と、この１画面表示から２画面表示への切り換え動作を示すタイミング図である。
【図２２】  図２２は図１９の制御回路の２画面表示から映像信号２による１画面表示への切り換え動作と、この１画面表示から２画面表示への切り換え動作を示すタイミング図である。
【図２３】  図２３は２画面表示において左右の画像を入れ換える図１９の制御回路の動作を示すタイミング図である。
【図２４】  図２４は、本発明の画像表示装置の他の実施例を示すブロック図である。
【図２５】  図２５は図２４の画像表示装置の画面表示制御回路７１５を構成する制御回路７１８の構成例を示す図である。
【符号の説明】
７…平面表示装置
７０１…表示（液晶）パネル
７０２…画素電極
７０３…スイッチング素子
７０４…走査信号線
７０５…データ信号線
７０６…対向電極
７０８，７０８−１，７０８−２…垂直走査回路
７０９，７０９−１，７０９−２…水平走査回路
７１０，７１０−１，７１０−２…コモン電圧発生回路
７１１…駆動信号発生回路
７１２，７１２−１，７１２−２…映像信号処理回路
７１３，７１３−１，７１３−２…レベル反転回路
７１４−１，７１４−２…ＳＷ回路
７１５…画面表示制御回路
７１６−１，７１６−２…走査制御回路
７１７−１，７１７−２…基準信号発生回路
８０３−１，８０３−２…信号選択回路
８０４…デコード回路
８０５−１，８０５−２…制御信号取得回路
８０６…画面切換制御回路
８０７…選択信号発生回路
８０８…１／２画面信号発生回路
８０９…サンプリング制御回路
【図１】
0004686004.tif 000002
【図２】
0004686004.tif 000003
【図３】
0004686004.tif 000004
【図４】
0004686004.tif 000005
【図５】
0004686004.tif 000006
【図６】
0004686004.tif 000007
【図７】
0004686004.tif 000008
【図８】
0004686004.tif 000009
【図９】
0004686004.tif 000010
【図１０】
0004686004.tif 000011
【図１１】
0004686004.tif 000012
【図１２】
0004686004.tif 000013
【図１３】
0004686004.tif 000014
【図１４】
0004686004.tif 000015
【図１５】
0004686004.tif 000016
【図１６】
0004686004.tif 000017
【図１７】
0004686004.tif 000018
【図１８】
0004686004.tif 000019
【図１９】
0004686004.tif 000020
【図２０】
0004686004.tif 000021
【図２１】
0004686004.tif 000022
【図２２】
0004686004.tif 000023
【図２３】
0004686004.tif 000024
【図２４】
0004686004.tif 000025
【図２５】
0004686004.tif 000026